(57)【要約】一態様において、皮膚を引き締めかつ／又は瘢痕組織を縮小する方法が本明細書に記載されている。この方法は、皮膚の治療エリアでフラクショナルレーザーアブレーションを行い、それにより皮膚柱を除去し、皮膚に柱状空隙を形成することを含み、柱状空隙は、第１側面と第１側面の向かい側の第２側面とによって画定される周囲を有し、第１側面及び第２側面はそれぞれ、皮膚の表皮層、真皮層、及び皮下層を含む。柱状空隙の第１側面は、柱状空隙の第２側面に接触させられ、それにより柱状空隙を閉じる。【特許請求の範囲】
【請求項１】
皮膚を引き締める方法であって、
前記皮膚の治療エリアでフラクショナルレーザーアブレーションを行い、それにより皮膚柱を除去し、前記皮膚に柱状空隙を形成することであって、前記柱状空隙は、第１側面と前記第１側面の向かい側の第２側面とによって画定される周囲を有し、前記第１側面及び前記第２側面はそれぞれ、前記皮膚の表皮層、真皮層、及び皮下層をそれぞれ含むことと、
前記柱状空隙の第１側面を前記柱状空隙の第２側面に接触させ、それにより前記柱状空隙を閉じることと、
閉じられた前記柱状空隙の上の前記皮膚に接着剤を付けることと
を含み、
前記柱状空隙の第１側面の表皮層、真皮層、及び皮下層はそれぞれ、前記皮膚の表面に直交するｚ方向において前記柱状空隙の第２側面の表皮層、真皮層、及び皮下層と位置合わせされる、方法。
【請求項２】
前記フラクショナルレーザーアブレーションを行う前に、前記治療エリア内の血管を画像化し、それにより前記治療エリア内の血管領域及び非血管領域のマップを形成することをさらに含む、請求項１に記載の方法。
【請求項３】
フラクショナルレーザーアブレーション中に複数の皮膚柱が除去され、前記皮膚の治療エリアに複数の柱状空隙を形成する、請求項２に記載の方法。
【請求項４】
前記フラクショナルレーザーアブレーションは、実質的に前記非血管領域で行われる、請求項３に記載の方法。
【請求項５】
前記フラクショナルレーザーアブレーション及び血管の画像化が自動化されている、請求項４に記載の方法。
【請求項６】
自動化された前記フラクショナルレーザーアブレーション及び血管の画像化は、レーザー及び撮像装置に動作可能に接続されたコンピューター制御装置を用いて行われる、請求項５に記載の方法。
【請求項７】
前記フラクショナルレーザーアブレーションを行うために使用されるレーザービームは、多角形、菱形、又は楕円形断面を有する、請求項１〜６のいずれか一項に記載の方法。
【請求項８】
前記フラクショナルレーザーアブレーションを行うために使用されるレーザービームは、楕円形断面を有する、請求項１〜６のいずれか一項に記載の方法。
【請求項９】
前記柱状空隙は全長及び全幅を有し、前記全長は前記全幅よりも２．５から３．５倍大きい、請求項１〜６のいずれか一項に記載の方法。
【請求項１０】
付けられた前記接着剤を通して閉じられた前記柱状空隙にレーザー又は広帯域光を照射することをさらに含む、請求項１〜６のいずれか一項に記載の方法。
【請求項１１】
前記照射するステップは、閉じられた前記柱状空隙の止血、凝固、又はそれらの両方を引き起こす、請求項１０に記載の方法。
【請求項１２】
前記柱状空隙の第１側面及び第２側面の表皮層、真皮層、及び皮下層は、前記柱状空隙が閉じられるときに、前記柱状空隙の第１側面及び第２側面を横切って実質的に平面の真皮表皮接合部と実質的に平面の真皮皮下接合部とを形成するように位置合わせされる、請求項１〜６のいずれか一項に記載の方法。
【請求項１３】
前記接着剤は、閉じられた前記柱状空隙に圧縮力を加える、請求項１〜６のいずれか一項に記載の方法。
【請求項１４】
前記フラクショナルレーザーアブレーションは、Ｅｒ：ＹＡＧレーザーで行われる、請求項１に記載の方法。
【請求項１５】
皮膚引き締めシステムであって、
皮膚の治療エリアから２つ以上の皮膚柱を部分的に切除し、それにより前記皮膚に２つ以上の柱状空隙を形成するように構成されているレーザーであって、前記柱状空隙はそれぞれ、第１側面と前記第１側面の向かい側の第２側面とによって画定される周囲を有し、前記第１側面及び前記第２側面はそれぞれ、皮膚の表皮層、真皮層、及び皮下層を含むレーザーと、
前記皮膚に付けられ、各柱状空隙に圧縮力を加えて、前記柱状空隙の第１側面と第２側面を結合するように構成されている接着剤と、
前記皮膚の治療エリア内の血管を画像化するように構成されているイメージングシステムと、
前記レーザー、前記イメージングシステム、又はそれらの両方に動作可能に接続された１つ以上の制御装置であって、前記治療エリア内の血管及び前記治療エリア内のフラクショナルレーザーアブレーション位置の画像化を自動制御するように構成されている１つ以上の制御装置と
を含むシステム。
【請求項１６】
前記イメージングシステムは、画像化された前記血管に基づいて前記皮膚の治療エリア内の実質的に血管が形成されていない領域の位置を特定する、請求項１５に記載のシステム。
【請求項１７】
前記１つ以上の制御装置は、前記治療エリア内の実質的に血管が形成されていない皮膚にフラクショナルアブレーションを行うよう前記レーザーに指示するように構成されている、請求項１６に記載のシステム。
【請求項１８】
皮膚を引き締める方法であって、
皮膚の表面にフレームを開姿勢で取り付けることであって、前記フレームは前記皮膚の治療エリアを囲むことと、
レーザーで前記皮膚を切除することにより前記治療エリアから皮膚柱を除去し、それにより前記皮膚に柱状空隙を形成することであって、前記柱状空隙は、第１側面と前記第１側面の向かい側の第２側面とによって画定される周囲を有し、前記第１側面及び前記第２側面はそれぞれ、皮膚の表皮層、真皮層、及び皮下層を含むことと、
前記フレームが前記皮膚の表面に取り付けられている間に、前記フレームの形状を前記フレームの開姿勢の開いた形状から前記フレームの閉姿勢の閉じた形状に変えることと
を含み、
前記フレームの形状を前記開いた形状から前記閉じた形状に変えることにより、前記柱状空隙の第１側面を前記柱状空隙の第２側面に接続し、
前記柱状空隙の第１側面の表皮層、真皮層、及び／又は皮下層はそれぞれ、前記フレームが閉姿勢にあるとき、前記皮膚の表面に直交するｚ方向において前記柱状空隙の第２側面の表皮層、真皮層、及び／又は皮下層と位置合わせされる、方法。
【請求項１９】
前記柱状空隙の治癒中に前記皮膚の表面に前記フレームを閉姿勢で保持することと、
前記柱状空隙の治癒後に前記皮膚の表面から前記フレームを取り除くことと
をさらに含む、請求項１８に記載の方法。
【請求項２０】
前記フレームは、前記開姿勢において前記フレームの２つ以上の角を画定する２つ以上のヒンジを含み、前記フレームの形状を前記開いた形状から前記閉じた形状に変えることは、前記フレームのヒンジを閉じて前記フレームの角によって画定される角度を小さくすることを含む、請求項１８に記載の方法。
【発明の詳細な説明】
【技術分野】
【０００１】
本発明は、全体として皮膚の治療のためのシステム、デバイス、及び方法に関し、より具体的には、皮膚の引き締め、創傷閉鎖、及び瘢痕の縮小及び／又は除去のシステム、デバイス、及び方法に関する。
【０００２】
関連出願の相互参照
本出願は、参照によりその全体が本明細書に組み込まれている、２０１７年５月１９日に出願された米国仮特許出願第６２／５０８，５６８号に対して米国特許法第１１９条に基づく優先権を主張する。
【背景技術】
【０００３】
瘢痕は、組織損傷後の身体の自然な修復機構の結果である。瘢痕の重症度は、年齢、遺伝子、性別、民族性（フィッツパトリックのスキンタイプ）などの他の要因とともに、損傷の場所、深さ、及び大きさに依存する。瘢痕は非常に一般的であり、しばしば生活の質にかなりの悪影響を及ぼすが、効果的な瘢痕治療の選択肢は限られている。市販薬による局所治療は有効性が限られているが、外科的切除は後に更なる瘢痕形成を引き起こす可能性がある。
【０００４】
関連して、余分な皮膚が、体重減少後、分娩後、外科的処置後、脂肪吸引後、又は老化の自然な結果としてしわの形で生じ得る。しかしながら、不要な余分な皮膚を効果的に除去するための低侵襲治療はほとんど又は全くない。
【０００５】
近年の研究により、多数の切開を行い、端を収縮させることにより、望ましくない又は余分な皮膚を除去する瘢痕除去皮膚切開術の創出が示されている。しかしながら、これらの技術には依然として多くの欠点及び制限がある。例えば、多数の切開を手作業で行うことは非常に面倒であるため、これらの技術は多数の切開が必要な状況には容易に適用できない。また、これらの技術はしばしば従来の縫合を必要とし、これは修正が必要な更なる瘢痕の形成につながる可能性がある。
【発明の概要】
【発明が解決しようとする課題】
【０００６】
したがって、余分な皮膚又は瘢痕組織を除去しかつ／又は皮膚を引き締めるための改善されたシステム及び方法が必要である。
【課題を解決するための手段】
【０００７】
一態様において、皮膚を引き締め又は瘢痕組織を縮小するための方法及びシステムが本明細書に記載され、これらの方法及びシステムは、一部の例では、他の方法及びシステムと比較して１つ以上の利点を提供することができる。例えば、いくつかの実施形態において、本明細書に記載の方法又はシステムは、フラクショナルレーザーアブレーションを使用して皮膚柱を除去することにより、被術者の皮膚を引き締めることができる。複数の皮膚柱が除去されるとき、本明細書に記載の方法及びデバイスは、フラクショナルアブレーション（部分切除）中にレーザーの動作を制御装置が指示及びガイドする自動化プロセスを可能にする。また、本明細書に記載の方法及びデバイスは、血管イメージングシステムとレーザーを組み合わせて、低血管領域又は非血管領域の皮膚柱を除去することができる。制御装置は、レーザー及び血管イメージングシステムの両方に動作可能に接続されることができ、低血管領域又は非血管領域の複数の皮膚柱を自動的に除去する方法及びシステムを提供する。いくつかの実施形態において、皮膚柱の除去は、接着剤（接着テープ）を用いて閉じられる柱状空隙を形成する。また、本明細書に記載の方法及びシステムは、他のいくつかの方法と比較して、より効率的にかつより良い結果で皮膚を引き締め又は瘢痕組織を縮小することができる。
【０００８】
一態様において、皮膚を引き締めかつ／又は瘢痕組織を縮小する方法が本明細書に記載されている。いくつかの実施形態において、このような方法は、皮膚の治療エリアから皮膚柱を除去し、それにより皮膚に柱状空隙を形成することを含み、柱状空隙は、第１側面と第１側面の向かい側の第２側面とによって画定される周囲を有し、第１側面及び第２側面はそれぞれ、皮膚の表皮層、真皮層、及び皮下層を含む。この方法は、柱状空隙の第１側面を柱状空隙の第２側面に接触させ、それにより柱状空隙を閉じることをさらに含む。また、柱状空隙の第１側面の表皮層、真皮層、及び／又は皮下層はそれぞれ、皮膚の表面に直交するｚ方向において柱状空隙の第２側面の表皮層、真皮層、及び／又は皮下層と位置合わせされる。
【０００９】
別の実施形態において、本明細書に記載の方法は、皮膚の治療エリアでフラクショナルレーザーアブレーションを行い、それにより皮膚柱を除去し、皮膚に柱状空隙を形成することを含み、柱状空隙は、第１側面と第１側面の向かい側の第２側面とによって画定される周囲を有し、第１側面及び第２側面はそれぞれ、皮膚の表皮層、真皮層、及び皮下層を含む。柱状空隙の第１側面は、柱状空隙の第２側面に接触させられ、それにより柱状空隙を閉じる。
【００１０】
また、いくつかの実施形態において、柱状空隙の第１側面の表皮層、真皮層、及び／又は皮下層がそれぞれ、皮膚の表面に直交するｚ方向において柱状空隙の第２側面の表皮層、真皮層、及び／又は皮下層と位置合わせされるように、閉じられた柱状空隙の上の皮膚に接着剤が付けられる。一部の例では、接着剤は閉じられた柱状空隙に圧縮力を加える。
【００１１】
いくつかの実施形態において、柱状空隙は全長及び全幅を有し、全長は全幅よりも２．５から３．５倍大きい。
【００１２】
いくつかの実施形態において、本明細書に記載の皮膚を引き締めかつ／又は瘢痕組織を縮小する方法は、フラクショナルレーザーアブレーションを行う前に治療エリアの血管を画像化し、それにより治療エリアにおける血管（血管が形成されちる）領域及び非血管（血管が形成されていない）領域のマップを形成することを含む。一部の例では、フラクショナルレーザーアブレーションは、これらの血管領域及び非血管領域のマップに基づいて実質的に非血管領域に行われる。いくつかの実施形態において、レーザーはＥｒ：ＹＡＧレーザーである。
【００１３】
いくつかの実施形態において、フラクショナルレーザーアブレーション中に複数の皮膚柱が除去され、皮膚の治療エリアに複数の柱状空隙を形成する。一部の例では、フラクショナルレーザーアブレーション及び血管の画像化が自動化される。より詳細には、一部の例では、自動化されたレーザーアブレーション及び血管の画像化は、レーザー及び撮像装置（イメージャー）に動作可能に接続されたコンピューター制御装置を用いて行われる。レーザーのレーザービームは、多角形、菱形、又は楕円形断面を有することができる。特に一部の例では、レーザービームは楕円形の断面を有する。
【００１４】
いくつかの実施形態において、皮膚を引き締め又は瘢痕組織を縮小する方法は、付けられた接着剤を通して１つ以上の閉じられた柱状空隙に非切除（非アブレーション）レーザー又は広帯域光を照射するステップを含む。一部の例では、照射は、閉じられた柱状空隙の止血、凝固、又はそれらの両方を引き起こす。
【００１５】
また、いくつかの実施形態において、柱状空隙の第１側面及び第２側面の表皮層、真皮層、及び皮下層は、柱状空隙が閉じられるときに、柱状空隙の第１側面及び第２側面を横切って実質的に平面の真皮表皮接合部と実質的に平面の真皮皮下接合部とを形成するように位置合わせされる。
【００１６】
別の態様では、皮膚引き締め及び／又は瘢痕組織除去のシステムが本明細書に記載されている。いくつかの実施形態において、皮膚引き締め及び／又は瘢痕組織除去のシステムは、レーザー、接着剤、及びイメージングシステムを含む。一部の例では、レーザーは、皮膚の治療エリアから１つ以上の皮膚柱を部分的に切除し、それにより皮膚に１つ以上の柱状空隙を形成するように構成され、柱状空隙はそれぞれ、第１側面と第１側面の向かい側の第２側面とによって画定される周囲を有し、第１側面及び第２側面はそれぞれ、皮膚の表皮層、真皮層、及び皮下層を含む。いくつかの実施形態において、接着剤は、皮膚に付けられ、各柱状空隙に圧縮力を加えて、柱状空隙の第１側面と第２側面を結合するように構成されている。いくつかの実施形態において、イメージングシステムは、皮膚の治療エリア内の血管を画像化するように構成されている。一部の例では、イメージングシステムは、画像化された血管に基づいて皮膚の治療エリア内の実質的に血管が形成されていない領域の位置を特定する。
【００１７】
また、一部の例では、皮膚引き締め及び／又は瘢痕組織除去のシステムは、レーザー、イメージングシステム、又はそれらの両方に動作可能に接続された１つ以上の制御装置を含む。１つ以上の制御装置は、治療エリア内の血管及び治療エリア内のレーザーアブレーション位置の画像化を自動制御するように構成されている。一部の例では、１つ以上の制御装置は、治療エリア内の実質的に血管が形成されていない皮膚にフラクショナルアブレーションを行うようレーザーに指示するように構成されている。
【００１８】
別の態様では、皮膚引き締め及び／又は瘢痕組織除去の方法が本明細書に記載されている。いくつかの実施形態において、このような方法は、皮膚の表面にフレームを開姿勢で取り付けることを含み、フレームは皮膚の治療エリアを囲む。レーザーで皮膚を除去することにより治療エリアから皮膚柱を除去し、それにより皮膚に柱状空隙を形成し、柱状空隙は、第１側面と第１側面の向かい側の第２側面とによって画定される周囲を有し、第１側面及び第２側面はそれぞれ、皮膚の表皮層、真皮層、及び皮下層を含む。一部の例では、この方法は、フレームが皮膚の表面に取り付けられている間に、フレームの形状をフレームの開姿勢の開いた形状からフレームの閉姿勢の閉じた形状に変えることを含み、フレームの形状を開いた形状から閉じた形状に変えることにより、柱状空隙の第１側面を柱状空隙の第２側面に接続し、柱状空隙の第１側面の表皮層、真皮層、及び／又は皮下層はそれぞれ、フレームが閉姿勢にあるとき、皮膚の表面に直交するｚ方向において柱状空隙の第２側面の表皮層、真皮層、及び／又は皮下層と位置合わせされる。
【００１９】
また、いくつかの実施形態において、皮膚引き締め及び／又は瘢痕組織除去の方法は、柱状空隙の治癒中に皮膚の表面にフレームを閉姿勢で保持することと、柱状空隙が治癒後に皮膚の表面からフレームを取り除くこととを含む。一部の例では、フレームは、開姿勢においてフレームの２つ以上の角を画定する２つ以上のヒンジを含み、フレームの形状を開いた形状から閉じた形状に変えることは、フレームのヒンジを閉じてフレームの角によって画定される角度を小さくすることを含む。
【００２０】
これら及び他の実施形態は、以下の詳細な説明においてより詳細に説明される。
【図面の簡単な説明】
【００２１】
本発明は、添付の図面を参照して例として説明される。
【図１】図１は、表皮、真皮、及び皮下層を示す人間の皮膚の断面図である。
【図２】図２Ａは、表皮層及び真皮層を通って皮下層に延びる柱状空隙を有するヒトの皮膚の断面図である。図２Ｂは、表皮層を通って真皮層に延びる柱状空隙を有するヒトの皮膚の断面図である。
【図３】図３は、刃を有する機械的切除デバイスの斜視図である。
【図４】図４Ａ、４Ｂ、及び４Ｃは、皮膚の切除レーザー治療の概略図であり、図４Ａ及び４Ｂは斜視図を示し、図４Ｃは断面図を示す。
【図５】図５Ａは、柱状空隙を有する治療エリアの平面図である。図５Ｂは、図５Ａの柱状空隙よりも比較的大きな柱状空隙を有する治療エリアの平面図である。
【図６】図６Ａ及び６Ｂは、フラクショナルレーザーアブレーションによって形成された楕円形の柱状空隙の写真である。
【図７】図７は、菱形断面を有するレーザービームの概略図の斜視図である。
【図８】図８は、楕円形の断面を有するレーザービームの概略図の斜視図である。
【図９】図９Ａ及び９Ｂは、異なる切断パターンを有する治療エリア内の複数の柱状空隙の平面図である。
【図１０】図１０は、レーザー及びイメージングシステムに動作可能に接続されたコンピューターシステム及び／又は制御装置の概略図である。
【図１１】図１１は、表皮層及び真皮層を通って延びる柱状空隙を有する皮膚の断面図を概略的に示しており、表皮層及び真皮層が接合されて柱状空隙を閉じている。
【図１２】図１２は、表皮層及び真皮層を通って皮下層に延びる柱状空隙を有する皮膚の断面図を概略的に示しており、３つの層すべてが接合されて柱状空隙を閉じている。
【図１３】図１３Ａは、皮膚の開いた柱状空隙の写真である。図１３Ｂは、図１３Ａの柱状空隙が手で閉じられ、閉じられた柱状空隙の上に接着剤が付けられている写真である。図１３Ｃは、付けられた接着剤によって閉じられた状態に保持されている図１３Ｂの閉じられた柱状空隙の写真である。
【図１４】図１４は、開姿勢のフレームの側面の斜視図である。
【図１５】図１５は、開姿勢のフレームの斜視図である。
【図１６】図１６は、開姿勢のフレームの端部の斜視図である。
【図１７】図１７は、開姿勢のフレームの平面図である。
【図１８】図１８は、閉姿勢のフレームの斜視図である。
【図１９】図１９Ａは、タブ及びステープルを備えた２つの対向する剛性部材の平面図である。図１９Ｂは、タブ及びステープルを備えた剛性部材の斜視図である。
【図２０】図２０は、タブ及びステープルを有するフレームを用いて閉じられている柱状空隙の図である。
【図２１】図２１は、図１４〜２０のフレームを用いて皮膚を引き締める方法のステップを示す。
【図２２】図２２は、皮膚表面に配置された図１４〜２０のいずれかによる複数のフレームの斜視図である。
【図２３】図２３は、柱状空隙を閉じた状態に保持するのに使用されるステープルの斜視図である。
【発明を実施するための形態】
【００２２】
本明細書に記載の実施形態は、以下の詳細な説明、実施例、及び図面を参照することにより、より容易に理解することができる。しかしながら、本明細書に記載の要素、装置、及び方法は、詳細な説明、実施例、及び図面に提示される特定の実施形態に限定されない。これらの実施形態は、本発明の原理の単なる例示であることを認識されたい。本発明の主旨及び範囲から逸脱することなく、多数の修正及び適合が当業者に容易に明らかになるであろう。
【００２３】
また、本明細書に開示されるすべての範囲は、その中に含まれるありとあらゆる部分範囲を含むと理解されるべきである。例えば、「１．０から１０．０」の指定範囲は、１．０以上の最小値で始まり、１０．０以下の最大値で終わるすべての部分範囲、例えば１．０から５．３、又は４．７から１０．０、又は３．６から７．９を含むとみなされるべきである。同様に、「１から１０」の指定範囲は、１以上の最小値で始まり、１０以下の最大値で終わるすべての部分範囲、例えば１から５、４から１０、３から７、５から８を含むとみなされるべきである。
【００２４】
本明細書に開示されるすべての範囲は、特に明記しない限り、範囲の端点を含むとみなされるべきである。例えば、「５から１０の間」又は「５から１０まで」又は「５〜１０」の範囲は一般に、端点５及び１０を含むとみなされるべきである。
【００２５】
また、「まで」という語句が量又は数量に関連して使用される場合、その量は少なくとも検出可能な量又は数量であることを理解されたい。例えば、指定された量「まで」の量で存在する材料は、検出可能な量から指定された量までかつ指定された量を含めて存在することができる。
Ｉ．  皮膚引き締め方法
【００２６】
一態様において、人間の被術者などの患者又は被術者の皮膚を引き締める方法を含む、皮膚の引き締め方法が本明細書に記載されている。この方法は、余分な皮膚「七面鳥の首」又は「コウモリの翼」の皮膚、減量後の皮膚、産後の皮膚、上腕形成術の皮膚、乳房固定術の皮膚、顔のしわ取りの皮膚、首のしわ取りの皮膚、腹部形成術の皮膚、胃バイパス手術後の皮膚、しわ又は他の種類の余分な皮膚のような余分な皮膚を除去することにより、被術者の皮膚を引き締めることができる、また、いくつかの実施形態において、本明細書に記載の皮膚引き締め方法は、手術の痕、にきび痕、萎縮性瘢痕、ケロイド瘢痕、肥厚性瘢痕、ストレッチマーク、又は他のタイプの瘢痕のような瘢痕組織を除去することができる。
【００２７】
一実施形態において、皮膚を引き締めるための方法は、皮膚の柱を除去するステップと、皮膚に柱状空隙を形成するステップとを含み、柱状空隙は、第１側面と第１側面の向かい側の第２側面とによって画定される周囲を有する。第１側面及び第２側面はそれぞれ、皮膚の表皮層、真皮層、皮下層、又はそれらの任意の組み合わせを含む。この方法は、柱状空隙の第１側面を柱状空隙の第２側面に接触させかつ／又は接続させ、それにより柱状空隙を閉じることをさらに含む。
【００２８】
図１は、人間の皮膚の様々な層の断面図を示し、表皮層が最外層であり、皮下層（すなわち「皮下組織」）が最内層であり、真皮層が表皮層と皮下層との間に位置する中間層ある。柱状空隙は、１つ以上の皮膚層の一部が除去された空隙である。例えば図２Ａに見られるように、一部の例では、柱状空隙１０ａは、表皮層及び真皮層を通って皮下層内に延びることができる。他の例では、例えば図２Ｂに示したように、柱状空隙１０ｂは表皮層を通って真皮層内に延びることができる。
【００２９】
柱状空隙が閉じられ又は接続されるとき、柱状空隙の第１側面の表皮層、真皮層、及び／又は皮下層はそれぞれ、皮膚の表面に直交するｚ方向において柱状空隙の第２側面の表皮層、真皮層、及び／又は皮下層と位置合わせされる。このような「位置合わせされた」層は、一部の例では、ｚ方向におけるそれぞれの層の厚さの１５％を超えて、１０％を超えて、又は５％を超えて、ｚ方向に互いにずれないことを理解されたい。一部の例では、互いに位置合わせされた２つの層は、ｚ方向における２つの層の平均厚さに基づいて、ｚ方向に０〜１０％、０〜８％、０〜５％、又は０〜３％ずれている。
【００３０】
また、一部の例では、柱状空隙の第１側面及び第２側面の表皮層、真皮層、及び皮下層は、柱状空隙が閉じられ又は接続されるときに、柱状空隙の第１側面及び第２側面を横切って実質的に平面の真皮表皮接合部及び実質的に平面の真皮皮下接合部を形成するように位置合わせされる。
【００３１】
さらに、いくつかの実施形態において、本明細書に記載の皮膚を引き締めるための方法は、例えば図３に示したように、機械的に作動する切除デバイス２０を用いて被術者の皮膚を引き締めることができる。切除デバイス２０は、例えば図２Ａ及び２Ｂに示したように、柱状空隙を形成するために除去される、被術者の皮膚２２の柱状体を切断する刃２１を含むことができる。例えば、切除デバイスは、コンピューター制御振動刃、ハーモニックスカルペルもしくは同等のデバイスなどの振動刃、又は本開示の目的に反しない当業者に知られている他の機械的に作動する刃付きデバイスを含むことができる。
【００３２】
また、いくつかの好ましい実施形態において、本明細書に記載の皮膚を引き締める方法は、フラクショナルレーザーアブレーションを使用して１つ以上の皮膚柱を除去することにより、被術者の皮膚を引き締めることができる。当業者に理解されるように、「フラクショナル」レーザーアブレーションは、切除レーザービームを使用して、皮膚の治療エリアなどの対象領域において、組織柱を選択的に切除し、蒸発させ、破壊し、又は除去するか又は「穴を開ける」レーザーアブレーションプロセスを指す。一実施形態において、皮膚柱を除去し、皮膚に柱状空隙を形成するステップは、皮膚の治療エリアでフラクショナルレーザーアブレーションを行い、それにより皮膚柱を除去し、皮膚に柱状空隙を形成することを含む。本明細書に記載の目的のために、フラクショナルレーザーアブレーションは、機械的コアリングデバイスなどの他の技術を使用せずに皮膚柱を直接「切断」して除去する。すなわち、皮膚柱はレーザー光だけで除去される。したがって、いくつかの好ましい実施形態において、本明細書に記載の方法は、機械的コアリングによって皮膚柱を除去することを含まない。
【００３３】
例示的なフラクショナルレーザー治療プロセスが図４Ａ〜４Ｃに示されており、図４Ａ〜４Ｃには、切除レーザー治療中及び治療後の両方における被術者の皮膚組織１００の概略図が示されている。図４Ａが示すように、切除レーザー治療中に、部分切除レーザー光１０４の線量が被術者の皮膚の外側表面１０２に照射される。レーザー光１０４は、被術者の皮膚の表面１０２に対して直角に配置されるか、被術者の皮膚の表面１０２に対して斜めにされることができる。レーザー光１０４は、被術者の皮膚に１つ以上の円形又は非円形の切除された柱状空隙又は溝１０６を形成する。
【００３４】
本明細書における参照のために、レーザー光の「線量」（又は「被爆」）は一般に、レーザー光の「パルス」と同義ではなく、特にパルスレーザー（連続波レーザーではなく）によって本質的に生成されるレーザー光の「パルス」に関して同義ではないことを理解されたい。代わりに、本開示の文脈におけるレーザー光の「線量」とは、レーザー光が本明細書に記載の治療エリアに（又は治療エリア内の単一のスポット又は場所に）向けられるレーザーの単一の個別の「オン」時間中にレーザーによって放出される光を指す。また、レーザー光の「線量」は、（パルスレーザーが使用される場合に）パルスレーザーのパルス持続時間よりも長い持続時間を有することができる。例えば、一部の例では、レーザー光の１回の「線量」は、持続時間が少なくとも１ｍｓ、少なくとも５ｍｓ、少なくとも１０ｍｓ、少なくとも１００ｍｓ、少なくとも０．５秒、又は少なくとも１秒である。一部の例では、本明細書に記載のレーザー光の「線量」は、１ｍｓ〜１０秒、１ｍｓ〜５秒、１ｍｓ〜１秒、１００ｍｓ〜１０秒、１００ｍｓ〜５秒、又は１００ｍｓ〜１秒の持続時間を有する。また、レーザー光の「線量」は、レーザー光が治療エリアに（又は治療エリア内の単一のスポット又は場所に）向けられないか又は入射しない「オフ」期間によって両側で一時的に制限される。さらに、この「オフ」期間は、（パルスレーザーが使用される場合に）連続動作中のパルスレーザーによって生成されるパルス間の時間よりも長い（そして異なる）。
【００３５】
図４Ｂ及び４Ｃは、切除レーザー光１０４の照射後の皮膚組織１００のそれぞれの寸法及び平面図を示す。図４Ｂにおいて、ｘ、ｙ、及びｚ方向が容易に見えるように、柱状空隙１０６は例示のみを目的として破線で示されている。図４Ｂ及び４Ｃが集合的に示すように、切除レーザー治療中に形成される各柱状空隙１０６は、全長Ｙ１、全幅Ｘ１、及び全体の深さＺ１を有する三次元構造を画定する。柱状空隙１０６の全長Ｙ１及び／又は全幅Ｘ１は、ｚ方向のｚ軸に関して対称又は非対称であることができる。いくつかの実施形態において、全長Ｙ１及び／又は全幅Ｘ１は、ｚ方向において連続的又は不連続的に変化することができる。他の実施形態において、全長Ｙ１及び／又は全幅Ｘ１は、ｚ方向において変化しない。いくつかの実施形態において、柱状空隙は、ｚ方向に沿って皮膚の表面１０２に直交して見たときに、円形、多角形、菱形、又は楕円形である。
【００３６】
図６Ａ及び６Ｂは、菱形断面を有するレーザービームを有するレーザーを用いたフラクショナルレーザーアブレーションによって形成される柱状空隙のｚ方向に沿った皮膚の表面の絵図を示す。しかしながら、図６Ａ及び６Ｂは例示的な実施形態であり、柱状空隙の寸法は開示された寸法のみに限定されない。代わりに、柱状空隙は、本開示の目的に反しない任意の全長、全幅、及び／又は全体の深さを有することができる。例えば、図５Ａ及び５Ｂに見られるように、柱状空隙の全体的な寸法は、被術者の治療エリアの場所に依存する。例えば、図５Ａの実施形態に示したように、柱状空隙１１０ａの全体寸法は、例えば治療エリア１１１の場所が比較的小さな柱状空隙１１０ａのより高い密度が必要とされる身体の領域内にあるときなど、比較的小さいことができる（例えば、全長２ｍｍから全幅１ｍｍ）。このような場合、２ｍｍの全長及び１ｍｍの全幅を有しかつ楕円形を有する柱状空隙を使用して、治療エリアの１平方センチメートルあたり６．４個の空隙を使用することにより、１０％の組織除去を行うことができる。同様に、０．５ｍｍ×１ｍｍの楕円は、０．００４ｃｍ2の面積を有し、２５．５個／ｃｍ2の空隙を使用することにより１０％の組織除去を行うことができる。さらに、柱状空隙が直径０．５ｍｍの円で画定される場合、５１個／ｃｍ2の空隙を用いて１０％の組織除去が得られる。
【００３７】
別の実施例において、図５Ｂの実施形態に示したように、柱状空隙１１０ｂの全体寸法は、例えば治療エリア１１１の場所が同じサイズの治療エリア１１１に対してより低い密度のより大きな柱状空隙１１０ｂが必要とされる身体の領域にある場合など、比較的大きいことができる（例えば、全長１０ｍｍから全幅１ｍｍ）。例えば、一部の例では、１０ｍｍ×１ｍｍの楕円は、０．０７９ｃｍ2の面積を有し、１．２７個／ｃｍ2の空隙を使用することにより１０％の組織除去を行うことができる。
【００３８】
また、いくつかの実施形態において、柱状空隙（又は、複数の柱状空隙に関する場合、平均柱状空隙）は、全幅よりも２．５から３．５倍大きい全長を有する。他の実施形態において、全長の全幅に対する比は、１対１、２対１、３対１、４対１、５対１、６対１、７対１、８対１、９対１、１０対１又は＞１０対１であることができる。
【００３９】
アブレーションステップにおけるアブレーションの全体的な深さは様々であることができる。本開示の目的に反しない任意の深さを使用することができる。例えば、いくつかの実施形態において、アブレーションステップにより、所定の幅の柱の組織の少なくとも９０％、少なくとも９５％、少なくとも９８％、又は少なくとも９９％が最大１０００μｍの深さまで又は最大２０００μｍの深さまで除去される。一部の例では、アブレーションステップにより、柱の組織の少なくとも９０％、少なくとも９５％、少なくとも９８％、又は少なくとも９９％が５０〜２０００μｍ、５０〜１０００μｍ、５０〜５００μｍ、５０〜３００μｍ、５０〜２００μｍ、１００〜２０００μｍ、１００〜１０００μｍ、１００〜５００μｍ、１００〜３００μｍ、１００〜２００μｍ、２００〜２０００μｍ、２００〜１０００μｍ、２００〜５００μｍ、４００〜２０００μｍ、４００〜１０００μｍ、５００〜２０００μｍ、５００〜１０００μｍ、又は１０００〜２０００μｍの深さまで除去される。
【００４０】
また、いくつかの実施形態において、フラクショナルレーザーアブレーションは、１５０〜５００μｍ、１５０〜４５０μｍ、１５０〜４００μｍ、２００〜６００μｍ、２００〜５００μｍ、２００〜４５０μｍ、２００〜４００μｍ、２５０〜６００μｍ、２５０〜５００μｍ、２５０〜４５０μｍ、２５０〜４００μｍ、３００〜６００μｍ、３００〜５００μｍ、３００〜４５０μｍ、３００〜４００μｍ、４００〜６００μｍ、４００〜５００μｍ、又は４５０〜６００μｍの平均直径（又は平均長さもしくは幅）、及び０．３〜２．５ｍｍ、０．３〜２ｍｍ、０．３〜１．５ｍｍ、０．３〜１ｍｍ、０．５〜２．５ｍｍ、０．５〜２ｍｍ、０．５〜１．５ｍｍ、０．５〜１ｍｍ、１〜２．５ｍｍ、又は１〜２ｍｍの深さを有する柱状空隙を生成する。
【００４１】
「レーザー」とは、単一のレーザー媒質から単一のレーザー光ビームを生成する単一のレーザー発振デバイスを指すことができることを理解されたい。本明細書に記載のレーザーは、パルスレーザー又は連続波（ＣＷ）レーザーであることができる。また、パルスレーザーを使用する場合、レーザーはレーザービームの時間変調パルスを生成することができる。例えば、一部の例では、レーザービームは切除レーザービームを含み、レーザーは切除レーザービームの時間変調パルスを生成する。
【００４２】
本明細書に記載のレーザー又はレーザービームは、本開示の目的に反しない任意の出力及び任意のピーク又は平均発振波長を有することができる。例えば、いくつかの実施形態において、本明細書に記載のデバイスのレーザー又はレーザービームは、電磁スペクトルの赤外（ＩＲ）領域にピーク又は平均発振波長を有する。このような場合、レーザー又はレーザービームは、１〜４μｍ、１〜３μｍ、２〜４μｍ、２〜３μｍ、８〜１２μｍ、又は９〜１１μｍの範囲にピーク又は平均発振波長を有する。例えば、いくつかの実施形態において、レーザー又はレーザービームは、２９４０ｎｍ又は１０６４ｎｍのピーク又は平均発振波長を有するエルビウムドープイットリウムアルミニウムガーネット（Ｅｒ：ＹＡＧ）レーザー又はレーザービーム又はネオジムドープＹＡＧ（Ｎｄ：ＹＡＧ）レーザー又はレーザービームを含む。他の例では、レーザー又はレーザービームは、炭酸ガスレーザー又はレーザービームを含む。本明細書に記載のレーザービームは、電磁スペクトルの可視領域にピーク又は平均発振波長を有することもできる。本明細書に記載のいくつかの実施形態での使用に適したピーク又は平均発振波長の非限定的な例には、５３２ｎｍ、６９５ｎｍ、７５５ｎｍ、１０６４ｎｍ、及び１４７０ｎｍ（例えば、非切除用途の場合）、又は２９４０ｎｍ（例えば、切除用途の場合）が含まれる。また、一部の例では、本明細書に記載のデバイスのレーザー又はレーザービームは、１から１０Ｗ（例えば、非アブレーションに使用される場合）又は５０から２００Ｗ（例えば、アブレーションに使用される場合）の平均出力を有する。
【００４３】
また、本明細書に記載のレーザーによって生成されるレーザービームのスポットサイズも様々であることができる。本開示の目的に反しない任意のスポットサイズを使用することができる。一部の例では、例えば、スポットサイズは、０．１〜１０ｍｍ、０．１〜１ｍｍ、０．１〜０．５ｍｍ、０．５〜５ｍｍ、１〜１０ｍｍ、又は１〜５ｍｍである。他のスポットサイズも使用することができる。
【００４４】
上述のように、レーザービームは、本開示の目的に反しない任意の断面形状を有することができる。例えば、一部の例では、レーザービームは、円形、多角形、菱形、又は楕円形断面を有する。図７に示した例では、菱形断面を有するレーザービームが説明され、図８に示した例では、楕円形の断面を有するレーザービームが説明される。
【００４５】
いくつかの実施形態において、皮膚を引き締める方法は、フラクショナルレーザーアブレーションを用いて治療エリアから複数の皮膚柱（単一の皮膚柱のみではなく）を除去することと、治療エリアに複数の柱状空隙（単一の空隙ではなく）を形成することとをさらに含む。図９Ａ及び９Ｂに示したように、一部の例では、除去される個々の皮膚柱の寸法は、互いに実質的に等しいことができる。他の例では、除去される個々の皮膚柱の寸法は、互いに異なることができる。また、各柱状空隙、又は任意の所定の柱状空隙は、単一の柱状空隙について上述したサイズ及び／又は形状を有することができる。
【００４６】
複数の柱は、本開示の目的に反しない任意のパターンで治療エリアから除去されることができる。図９Ａ及び９Ｂに示した実施形態において、治療エリア１１１内の柱状空隙１０によって、列及び行の格子状パターンが形成されることができる。一部の例では、隣接する列の柱状空隙１０が異なる行にあり、１つおきの列の柱状空隙１０が同じ行にあるように、隣接する列の柱状空隙１０はずらされている。図９Ａに示した実施形態では、隣接する列の柱状空隙１０は、それぞれの隣接する列に実質的にずれ込むことなくそれぞれの列内に、かつ列内で１行おきに配置されることができる。図９Ｂに示した実施形態では、１行おきの柱状空隙１０が隣接する列にずれ込む。したがって、被術者の治療エリア１１１の特定の場所及び皮膚の引き締めの所望のレベルに応じて、治療エリア１１１の複数の柱状空隙の密度は、比較的低い（例えば、図９Ａ）か又は比較的高い（例えば、図９Ｂ）ことができる。また、図５Ｂに示した例では、治療エリア内の柱状空隙１０は単一の列を含むことができ、又は他の実施形態（図示せず）では、治療エリア内に単一の行を含むことができ、治療エリア内の柱状空隙の数は図９Ａ及び９Ｂのパターンと比較して比較的少なく、各柱状空隙は比較的大きい。
【００４７】
治療エリアは、本開示の目的に反しない任意のサイズであることができる。例えば、治療エリアは、１０ｍｍ2から１，０００ｃｍ2、２０ｍｍ2から１，０００ｃｍ2、３０ｍｍ2から１，０００ｃｍ2、４０ｍｍ2から１，０００ｃｍ2、４０ｍｍ2から１，０００ｃｍ2、５０ｍｍ2から１，０００ｃｍ2、６０ｍｍ2から１，０００ｃｍ2、７０ｍｍ2から１，０００ｃｍ2、８０ｍｍ2から１，０００ｃｍ2、９０ｍｍ2から１，０００ｃｍ2、１００ｍｍ2から１，０００ｃｍ2、２００ｍｍ2から１，０００ｃｍ2、３００ｍｍ2から１，０００ｃｍ2、４００ｍｍ2から１，０００ｃｍ2、５００ｍｍ2から１，０００ｃｍ2、６００ｍｍ2から１，０００ｃｍ2、７００ｍｍ2から１，０００ｃｍ2、８００ｍｍ2から１，０００ｃｍ2、９００ｍｍ2から１，０００ｃｍ2、又は１ｃｍ2から１，０００ｃｍ2の面積を有することができる。
【００４８】
一実施形態において、皮膚を引き締める方法は、フラクショナルレーザーアブレーションを行う前に治療エリア内の血管を画像化し、それにより治療エリア内の血管領域及び非血管領域のマップを形成することをさらに含む。このような画像化は、本開示の目的に反しない任意のイメージングシステムで行うことができる。例えば、一部の例では、イメージングシステムは、光干渉断層撮影（ＯＣＴ）システム、多光子イメージングシステム、反射共焦点顕微鏡（ＲＣＭ）システムなどの光学イメージングシステム、又は本開示の目的に反しない他のイメージングシステムを含むことができる。一部の例では、選択的反射光学素子が、光学イメージングシステムの出射ビームと戻り信号の両方を反射して、イメージングシステムが標的領域を「調査」し、標的領域から戻り信号を受信するように構成されることができる。例えば、ＯＣＴイメージングシステムの場合、イメージングシステムはＯＣＴパイロット又はプローブビーム発生器とＯＣＴ検出器とを含むことができる。
【００４９】
他の実施形態において、本明細書に記載のシステム又は方法のイメージングシステムは、音響イメージングシステムを含む。例えば、一部の例では、イメージングシステムは超音波イメージングシステムである。このようなシステムは、当分野で一般に知られているように、１つ以上の超音波トランスデューサー及び／又は超音波レシーバーを含むことができる。
【００５０】
これらのイメージングシステムの使用は、表面下の皮膚又は血管の構造を非侵襲的に画像化するなど、皮膚の表面下の画像化が必要な又は望ましい場合に有益である。本明細書に記載のＯＣＴ又は他のイメージングシステムを使用して、本開示の目的に反しない任意の深さで皮膚の構成要素又は構造（血管など）を画像化することができる。例えば、一部の例では、血管は最大２ｍｍ、最大１ｍｍ、又は最大０．５ｍｍの深さでイメージングシステムによって画像化される。
【００５１】
上述のように、いくつかの実施形態において、イメージングシステムは、皮膚の治療エリア内の血管を画像化し、治療エリアの血管領域及び非血管領域のマップを作成する。「血管」領域は、脈管、特に血管を含む組織の領域又は体積であることを理解されたい。同様に、「非血管」領域は、血管を含まない組織の領域又は体積である。イメージングシステムによって生成されたマップを用いて、治療エリアのフラクショナルレーザーアブレーションによって除去される柱のパターンを血管の位置に基づいて決定することができる。例えば、一部の例では、フラクショナルレーザーアブレーションは、血管組織が切除されないように、実質的に治療エリアの非血管領域で行われる。フラクショナルレーザーアブレーションが非血管領域（血管領域ではなく）で「実質的に」行われる場合、フラクショナルレーザーアブレーションによって切除、蒸発、破壊、又は除去される組織は、少なくとも５０％、少なくとも６０％、少なくとも７０％、少なくとも８０％、少なくとも８５％、少なくとも９０％、少なくとも９５％、少なくとも９８％、又は少なくとも９９％の非血管組織（血管組織ではなく）であることができる。非血管領域／非血管組織を標的とすることにより、治療エリアにおいて柱状空隙からの出血を低減又は最小化することができる。また、創傷治癒の速度を上げることができ、傷の量を減らすことができる。
【００５２】
また、一部の例では、皮膚を引き締めかつ／又は瘢痕組織を縮小する方法は、フラクショナルレーザーアブレーション及び血管の画像化を自動制御するステップを含む。例えば、コンピューターハードウェア及び／又はソフトウェアは、レーザー及びイメージングシステムに動作可能に接続されることができ、本明細書に記載の画像化ステップ及び／又はアブレーションステップを実行又は制御することができる。例えば図１０に示したように、コンピューター又は制御装置２００は、プロセッサ２０５と、プロセッサ２０５による実行に応答して、レーザー２１５、イメージングシステム２２０、又はそれらの両方に所望のシーケンスで命令を提供させるコンピューター可読プログラムコードを格納する非一時的メモリ２１０とを含むことができる。本開示の目的に反しない任意のハードウェア及び／又はソフトウェアが、本明細書に記載のコンピューター又は制御装置２００に組み込まれるか又はコンピューター又は制御装置２００と共に使用され得る。また、様々な好適なハードウェア及びソフトウェアコンポーネントが、当業者には容易にわかるであろう。このようなハードウェア及び／又はソフトウェアを使用して、本開示の目的に反しない任意のステップ又は計算タスクを行うこともできる。
【００５３】
上述のように、柱状空隙の第１側面を柱状空隙の第２側面に接触させ又は接続することにより、柱状空隙を閉じることができる。別の言い方をすれば、表皮層、真皮層、及び皮下層の１つ以上を接合することにより、柱状空隙を閉じることができる。例えば、柱状空隙が表皮層及び真皮層を通って延びているが、皮下層には延びていない場合、図１１に示したように、表皮層と真皮層を接合することができる。図１２に示したように、柱状空隙が皮下層に延びている場合、３つの層すべてを接合することができる。いくつかの好ましい実施形態において、図１２に示した位置合わせ及び閉鎖が達成される。
【００５４】
柱状空隙の第１側面及び第２側面は、本開示の目的に反しない任意の方法で接合されることができる。例えば、一部の例では、指を用いて第１側面及び第２側面の皮膚を互いに圧迫又は圧縮することによって、第１側面及び第２側面を手で接合する。第１側面及び第２側面は、代わりに、以下により詳細に説明されるように、柱状空隙を閉じるために機械的デバイスを使用して接合されることができる。
【００５５】
柱状空隙が手で（又は他の方法で、しかし特に手で）閉じられる場合、本明細書に記載の皮膚を引き締める方法は、閉じられた柱状空隙の上の被術者の皮膚に接着剤を付けることをさらに含むことができる。例えば、図１３ａは、「開いている」例示的な柱状空隙を示している。図１３ｂには、柱状空隙は手で閉じられ、閉じられた柱状空隙に接着剤が付けられるように示されており、図１３ｃは、接着剤により「閉じた」位置に保持されている閉じられた柱状空隙を示している。接着剤は、本開示の目的に反しない、当業者に知られている任意の生体適合性の接着剤であることができる。例えば、一部の例では、接着剤は、市販製品テガダーム（登録商標）（３Ｍから入手可能）などのウレタンポリマーベースの接着剤であることができる。テガダーム（登録商標）などの圧迫粘着ドレッシング材を使用する場合、さまざまなサイズ及び形状を作成して、身体のさまざまな領域への配置を容易にすることができる。圧迫粘着ドレッシング材は、柱状空隙の上の皮膚への貼り付け前に手で引き伸ばすことができ、又はアプリケーターデバイスを使用して予め引き伸ばすことができる。次いで、予め引き伸ばされた圧迫粘着ドレッシング材を柱状空隙の上に配置し、皮膚に接着することができる。次いで、圧迫粘着ドレッシング材を弛緩させ（例えば、収縮により）、したがって、閉じられた柱状空隙に圧縮力を加え、治癒過程の間、柱状空隙を閉じたままにすることができる。他の例では、接着剤は、市販製品ダーマボンド（登録商標）（エチコンから入手可能）などのシアノアクリレートポリマーベースの接着剤であることができる。天然高分子又は合成高分子を含む他の接着剤も使用することができる。一部の例では、接着剤は、ゼラチン又はＬ−ＤＯＰＡ接着剤などの生体接着剤又は生体模倣接着剤である。本明細書に記載の方法で使用することができる例示的な接着剤には、ポリフェノールタンパク質接着剤及び多糖類が含まれる。このような接着剤を使用する場合、再び図１３ａ〜１３ｃを参照して、柱状空隙を閉じるために皮膚を手で互いに圧迫し、接着剤を皮膚に付け、皮膚の圧迫状態を維持する。
【００５６】
また、いくつかの実施形態において、吸収性縫合糸又はステープルを使用して、接着剤が柱状空隙を閉じた状態に保持するのを補助することができる。例えば、図２３に示したように、吸収性のフィッシュバーブ縫合糸／ステープルを皮膚に挿入して、接着剤の化学結合を機械的にサポートすることができる。吸収性縫合糸は、０．５ｍｍ、１ｍｍ、１．５ｍｍ、又は２ｍｍなど、治療的に有用な深さで挿入することができる。
【００５７】
また、接着剤は、光に対して透過性（透明）であるか又は光に対して実質的に透過性であるであることができる。より詳細には、いくつかの好ましい実施形態において、接着剤は、接着剤の下にある閉じられた柱状空隙を非切除的に照射するために使用することができる波長を有する光に対して透過性又は実質的に透過性である。接着剤が光に対して透過性である場合、本明細書に記載の皮膚を引き締める方法は、付けられた接着剤を通して閉じられた柱状空隙に非切除レーザー又は広帯域光（「ＢＢＬ」）ビーム又は光源を照射するステップをさらに含むことができる。このような場合、接着剤は、電磁スペクトルの赤外領域又はスペクトルの可視領域、又は非切除レーザービーム又は広帯域光ビームのピーク波長又は平均波長にそれぞれ対応するか又はそれらと重なるスペクトルの他の領域で、透明又は光学的に透明である。例えば、一部の例では、接着剤は、スペクトルの所望の領域で少なくとも４０％、少なくとも５０％、少なくとも６０％、少なくとも７０％、少なくとも８０％、少なくとも８５％、少なくとも９０％、又は少なくとも９５％の光透過性を有し、透過性は、所望の領域内の入射光の透過率に基づく。上述のように、所望の領域は一般に、非切除レーザー光又は広帯域光のピーク波長又は平均波長を含む。いくつかの例示的な実施形態において、接着剤は、３５０〜７５０  ｎｍ、４５０〜７５０  ｎｍ、４５０〜７００  ｎｍ、５００〜７５０  ｎｍ、５００〜７００  ｎｍ、５５０〜７５０  ｎｍ、６００〜７５０  ｎｍ、８００〜１４００  ｎｍ、８００〜１２００  ｎｍ、及び８００〜１１００  ｎｍのスペクトル窓の１つ以上で上記の透過性（例えば、少なくとも６０％の透過率）を有する。本明細書に記載の閉じられた柱状空隙を照射するステップは、一部の例では、柱状空隙に治療効果をもたらすことができ、かつ／又は被術者に１つ以上の治療的に有益な効果をもたらすことができる。例えば、照射するステップは、閉じられた柱状空隙の止血、凝固、又はそれらの両方を引き起こすか又はその一因となることができる。他の例では、照射するステップは、閉じられた柱状空隙創傷内及び／又は周囲の「熱ショック」応答を引き起こし、炎症及び瘢痕を縮小し、創傷治癒時間を加速する様々な熱ショックタンパク質（「ＨＳＰ」）を生成するように身体に作用する。また、本明細書に記載の方法により達成される創傷治癒の加速により、患者の治療エリア（例えば、顔）に付けられた包帯又は他のドレッシング材を、他の方法よりも短い期間後に除去することが可能になる。特に圧迫包帯又はドレッシング材は、より短い期間後に除去することができる。
【００５８】
当業者に理解されるように、「広帯域光」源及び「広帯域光ビーム」という用語は、それぞれ、米国食品医薬品局によって定義及び承認されたものを含む、強力な広域スペクトル光パルスの光源及びビームを指すことができる。より具体的には、広帯域光源によって生成される広帯域光ビームは、例えば、Ｌａｓｅｒｓ  Ｓｕｒｇ．  Ｍｅｄ．  ２００３，３２：７８−８７のラウリンらの「ＩＰＬ技術：レビュー」に記載されているように、５００ｎｍ〜１２００ｎｍの波長を有する非コヒーレント又は非レーザー光のパルスを含むことができる。本開示の目的に反しない任意のレーザー、広帯域光源、レーザービーム、又は広帯域光ビームを使用することができる。また、レーザー、広帯域光源、レーザービーム又は広帯域光ビームの選択は、レーザービーム又は広帯域光ビームの所望の効果及び／又は特定の接着剤又は柱状空隙などのレーザービーム又は広帯域光ビームの所望の標的に基づくことができる。本明細書に記載の広帯域光源は、一般にパルス光出力を生成する。一部の例では、広帯域光源はキセノンガスで満たされたチャンバーを含む。このような場合、広帯域光源は、キセノン含有チャンバーを通る電流のバースト又はパルスの利用により広帯域光ビームを生成することができる。
【００５９】
上述のように、照射ビームは実質的に非切除のものであり、したがって、皮膚柱を除去する本明細書で前述した切除フラクショナルレーザービームとは異なる目的で使用される。本実施形態において、非切除照射ビームは凝固性のものであることができ、「凝固性」ビームは、閉じられた柱状空隙内及び／又は周囲の組織の凝固を引き起こすと理解される。別の実施形態において、非切除照射ビームは止血性のものであることができ、「止血性」ビームは、閉じられた柱状空隙からの出血を遅くし、減らし、又は停止すると理解される。
【００６０】
また、いくつかの実施形態において、本明細書で前述したレーザーは、複数の異なる波長を有するレーザービームを生成するように動作可能なハイブリッドレーザーを含むことができる。例えば、一部の例では、ハイブリッドレーザーは、切除レーザービームと非切除レーザービームを選択的に生成するように動作可能である。同じデバイスに組み込まれた広帯域光源とレーザーの両方を使用することもできる。したがって、いくつかの実施形態において、特定の治療又はデバイスの他の用途に必要な場合に、本明細書に記載の単一のデバイスを使用して、様々な特性を有する１つ以上のビーム（例えば、１つ以上のレーザービーム、又は広帯域光ビームと組み合わせた１つ以上のレーザービーム）を生成及び送達することができる。
【００６１】
別の態様において、皮膚引き締めの方法４００は、機械的デバイスを使用して、柱状空隙を閉じ、柱状空隙の第１側面を柱状空隙の反対側の第２側面に接続する。以下で特に明記しない限り、方法４００は、皮膚柱の除去前の治療エリア内の血管を画像化する、機械的切除デバイス又は切除フラクショナルレーザーを使用して皮膚柱を除去するなど、本明細書で前述したステップ及び要素、及び他のこのようなステップ及び要素を任意選択的に含む。
【００６２】
図２１に示した実施形態において、方法４００は、開姿勢のフレーム３００を皮膚２２の表面に取り付けることを含み、フレーム３００はステップ４０５において皮膚の治療エリア又は治療エリアの一部を囲み（図２１に示したように、治療エリアは瘢痕又は傷４０１を含む）、方法４００は、レーザーで皮膚を切除するか又は切除デバイス２０で皮膚柱を機械的に除去することにより、フレームの内部領域３１２内から皮膚柱を除去し、それによりステップ４１０において皮膚に前述の柱状空隙１０を形成することと、ステップ４１５においてフレーム３００が皮膚２２の表面に取り付けられている間にフレーム３００の形状をフレーム３００の開姿勢の開いた形状からフレームの閉姿勢の閉じた形状に変えることとを含み、フレーム３００の形状を開いた形状から閉じた形状に変えることにより、例えば、符号４３０〜４４０に示したように、柱状空隙の第１側面を柱状空隙の第２側面に接続する。符号４３０〜４４０は詳細には、柱状空隙の対応する形成（符号４３０）、柱状空隙の初期の閉鎖（符号４３５）、及び治癒した柱状空隙（符号４４０）を示す。フレーム３００が閉姿勢にあるとき、柱状空隙の第１側面の表皮層、真皮層、及び／又は皮下層は、それぞれ、柱状空隙の第２側面の表皮層、真皮層、及び／又は皮下層と、皮膚の表面に直交するｚ方向に（例えば、符号４３０〜４４０に示したように）位置合わせされる。
【００６３】
フレーム３００が閉姿勢で皮膚に配置されると、柱状空隙の第１側面及び第２側面の表皮層、真皮層、及び／又は皮下層は、実質的に弛緩又は緊張解除され、機械的張力が存在しないか又は実質的に存在しない状態で閉じられた柱状空隙が治癒することを可能にする。また、フレーム３００が閉姿勢にあるとき、柱状空隙の第１側面及び第２側面の表皮層、真皮層、及び皮下層は、柱状空隙の第１側面及び第２側面を横切って実質的に平面で無張力の真皮表皮接合部と実質的に平面で無張力の真皮皮下接合部とを形成するように位置合わせされる。
【００６４】
一実施形態において、皮膚を引き締める方法は、ステップ４２０において閉じられた柱状空隙の治癒中に皮膚２２の表面にフレーム３００を閉姿勢で保持すること（例えば、符号４３５）と、ステップ４２５において閉じられた柱状空隙の治癒後に皮膚の表面からフレームを取り除くこと（例えば、符号４４０）とをさらに含む。
【００６５】
フレーム３００は、本開示の目的に反しない任意の生体適合性材料から作られることができる。例えば、フレーム３００は、金属、プラスチック、又は複合材料から作られることができる。
【００６６】
図１４〜１８は、フレーム３００の例示的な実施形態を示している。一実施形態において、フレーム３００は、複数のヒンジ３１１によって互いに接続されている２つ以上の剛性部材３１０ａ〜３１０ｄを含む。一部の例では、剛性部材３１０ａ〜３１０ｄは、開姿勢にあるフレーム３００の２つ以上の角を画定する２つ以上のヒンジ３１１によって互いに接続されている。他の例では、剛性部材３１０ａ〜３１０ｄは、開姿勢にあるフレーム３００の４つ以上の角を画定する４つ以上のヒンジ３１１によって互いに接続されている。図１４〜１７に示した実施形態において、フレーム３００は、４つの剛性部材３１０ａ〜３１０ｂと４つの剛性部材３１０ａ〜３１０ｂを接続する４つのヒンジ３１１とによって画定される内部領域３１２を形成する開姿勢にある。開姿勢において、フレーム３００は、菱形など、４つの剛性部材３１０ａ〜３１０ｂの縁によって画定されるような多角形を有することができる。図１４〜１８は４つの剛性部材３１０ａ〜３１０ｂを示しているが、フレーム３００は、対応する数のヒンジによって接続されている複数の剛性部材を含むことができる。５つ以上の剛性部材がフレーム３００を構成する場合、フレームの開いた形状は、六角形又は他の形状などの異なる形状を形成することができる。
【００６７】
複数のタブ３１３が剛性部材３１０ａ〜３１０ｂに接続されている。いくつかの実施形態において、タブ３１３は、剛性部材３１０ａ〜３１０ｂの縁から直角に延びる。タブ３１３は、いくつかの実施形態において、図１４〜１８に示したように、ヒンジ３１１を形成することができる。特に図１４〜１８の実施形態では、４つのタブ３１３が共に、２つの対向する中間ヒンジ３１１ａと２つの対向する端部ヒンジ３１１ｂとを形成する。
【００６８】
フレーム３００の形状は、ヒンジ３１１の組み合わせを閉鎖、開放、又は開閉することにより、開姿勢から閉姿勢に変えることができる。例えばフレーム３００が閉姿勢にある図１８に示すように、フレーム３００の第１の側にある２つの剛性部材３１０ａ、３１０ｂの位置は、２つの対向する剛性部材３１０ｃ、３１０ｄの位置に向かって移動している。閉姿勢に対応して、フレーム３００が開姿勢にある図１４〜図１８と比較して、２つの中間ヒンジ３１１ａの角度が増加しているのに対して、２つの第２の端部ヒンジ３１１ｂの角度は減少している。フレーム３００が閉姿勢にあるとき、フレーム３００は概ね弓形又は直線の閉じた形状を有し、内部領域３１２は実質的にサイズが縮小されている。また、閉姿勢にあるとき、フレーム３００は、タブ３１３による実質的にｚ方向の歪みに抵抗する。
【００６９】
いくつかの実施形態において、フレーム３００は、指を用いて２つ以上のタブ３１３を互いに圧迫することにより手で閉じることができる。他の例では、外部装置（図示せず）を使用して、フレーム３００の形状を開姿勢から閉姿勢に変えることができる。外部装置は、２つ以上のタブ３１３を合わせて掴んで引っ張るクリップ状の装置であることができる。外部装置は、閉鎖動作を行った後に取り外すことができ、又はフレーム３００に接続されたままにして、フレーム３００を閉姿勢に固定及び保持する働きをすることができる。別の実施形態において、フレーム３００が閉じられた後、タブ３１３を共に曲げてフレーム３００を閉姿勢にロックすることができる。一部の例では、外部装置を使用してフレーム３００の形状を開姿勢から閉姿勢に変えることにより、フレームがｚ方向に実質的に歪むのを防ぐ。さらに別の実施形態において、フレーム３００は、本明細書で前述した接着剤の１つ又は本開示の目的に反しない他の接着剤などの接着剤をフレーム３００に付けることにより閉姿勢に保持されることができる。
【００７０】
フレーム３００は、様々な機構によって開姿勢で皮膚の表面に取り付けることができる。例えば、剛性部材３１０ａ〜３１０ｂは、本明細書で前述した接着剤の１つなどの接着剤を用いて皮膚表面に接着又は付着させることができる。図１９ａ及び１９ｂに示したような他の実施形態において、剛性部材３１０ａ〜３１０ｂは、皮膚に挿入することができる１つ以上の下向きに延びるステープル、ピン、又はアンカー３１４を含むことができる。ステープル３１４の長さは、柱状空隙の深さに基づいて様々であることができる。例えば、ステープル３１４の長さは、ステープル３１４が皮膚の深さ全体を合わせて押し引きして、柱状空隙の第１側面を第２側面に接触させて接続するように、柱状空隙の深さと実質的に等しいことができる。図２０に示した実施形態などの他の例では、ステープル３１４の長さは、柱状空隙の全体の深さよりも短いことができる。
【００７１】
方法４００は、例えば図２２に示すように、それぞれが開姿勢にある複数のフレーム３００を治療エリア内の皮膚２２の表面に取り付けることをさらに含むことができる。本明細書で前述したように、方法４００は、機械的切除デバイス又はフラクショナル切除レーザーを用いて各フレーム３００の内部領域３１２から皮膚柱を除去して複数の柱状空隙を形成することを含むことができ、各柱状空隙はフレーム３００の内部領域３１２にある。複数のフレーム３００は、フレーム３００の内部領域３１２が皮膚の実質的に血管が形成されていない領域の上に配置されるように、イメージングシステムを用いて行われる血管マッピングに基づいて治療内エリア内に配置されることができる。
【００７２】
各フレーム３００は、本明細書で前述した外部装置を使用するか又はテガダーム（登録商標）などの予め引き伸ばされた接着剤を使用することにより、手で開姿勢から閉姿勢に変更又は作動させることができる。フレーム３００の変更又は作動は、一度に１つずつ又は複数のフレーム３００を一度に行うことができる。予め引き伸ばされたテガダーム（登録商標）は、複数の開いたフレーム３００の上に貼り付けられ、予め引き伸ばされた接着剤が貼り付け時に弛緩するときにフレーム３００を圧迫して閉じることができ、又は複数の閉じたフレーム３００の上に貼り付けられ、フレーム３００を閉姿勢に保持することができる。他の例では、ダーマボンド（登録商標）などの接着剤を閉じたフレーム３００の上に付けて、フレーム３００を閉姿勢に保持することができる。また、タブ３１３を一緒に曲げて、接着剤を使用せずに各フレーム３００を閉姿勢にロックすることができる。
【００７３】
本明細書に記載の皮膚引き締めの方法は、組織の体積及び／又は皮膚の弛緩を視覚的、検出可能かつ／又は定量化可能に減少させることができる。本明細書に記載の方法は、しわも減らすことができる。例えば、本明細書に記載の方法の効果は、一部の例では、例えば、Ｐｌａｓｔ  Ｒｅｃｏｎｓｔｒ  Ｓｕｒｇ．  ２００１；１０８：１７３５−５０のランペールＧらの顔のしわの分類に記載されているように、ランペール評価尺度のポイント削減によって定量化されることができる。ランペール評価尺度は、耳介前のしわの重症度を評価するための半定量的な方法であり、この尺度において、０＝しわなし、１＝辛うじて知覚可能なしわ、２＝浅いしわ、３＝やや深いしわ、４＝深いしわ、はっきりした縁、５＝非常に深いしわ、余分な折り目である。いくつかの実施形態において、本明細書に記載の方法は、ランペール尺度で１から３ポイント減少することにより、組織の体積及び／又は皮膚の弛緩及び／又はしわの程度の定量化可能な減少をもたらす。別の実施形態において、この方法は、ランペール尺度で１から２ポイントの減少又は１ポイントの減少をもたらす。
【００７４】
本明細書に記載の実施形態において、皮膚の有益な面積又は体積分率を治療エリアから除去することができる。例えば、一部の例では、治療エリアの皮膚面積の最大３０％を除去することができる。一部の例では、治療エリアの皮膚面積の１％から２５％を除去することができる。いくつかの実施形態において、皮膚面積の５％から２０％を除去することができる。他の実施形態において、皮膚面積の１０％から２０％又は１０％から１５％を除去することができる。別の実施形態において、皮膚面積の１５％から３０％、１５％から２５％、又は２０％から３０％を除去することができる。
【００７５】
本明細書に記載の方法によって達成される皮膚の引き締めの程度又は全体的な皮膚の引き締めの程度は、一般的に除去される皮膚柱の総面積と関係している。いくつかの実施形態において、皮膚の引き締めの程度は約１対０．５であり、治療エリア内の皮膚の１％の除去は、対応して治療エリアの総面積の０．５％の減少をもたらす。別の実施形態において、皮膚の引き締めの程度は約１対１であり、治療エリア内の皮膚の１％の除去は、対応して治療エリアの総面積の１％の減少をもたらす。別の実施形態において、皮膚の引き締めの程度は約１対１．５であり、治療エリア内の皮膚の１％の除去は、対応して治療エリアの総面積の１．５％の減少をもたらす。
ＩＩ．  皮膚引き締めシステム
【００７６】
別の態様では、いくつかの実施形態において、本明細書のセクションＩで前述した方法を行うことができる、皮膚の引き締めシステムが本明細書に記載されている。特に明記しない限り、セクションＩで説明した様々なコンポーネント及び要素は、例えば、レーザー、機械的切除デバイス、接着剤、フレーム、コンピューター及び制御装置などの、以下で説明する様々なコンポーネント及び要素に対応し、セクションＩのそれらの付随する説明は、その全体が参照により本明細書の以下に組み込まれるものとする。
【００７７】
一実施形態において、皮膚引き締めシステムは、レーザーと、イメージングシステム及び／又はデバイスと、少なくとも１つの制御装置とを含む。レーザーは、皮膚の治療エリアから２つ以上の皮膚柱を部分的に切除し、それにより皮膚に２つ以上の柱状空隙を形成するように構成され、柱状空隙はそれぞれ、第１側面と第１側面の向かい側の第２側面とによって画定される周囲を有し、第１側面及び第２側面はそれぞれ、皮膚の表皮層、真皮層、及び皮下層を含む。レーザーは、セクションＩで前述した物理的、光学的、及びエネルギー特性を有するパルスレーザー又は連続波レーザーであることができる。
【００７８】
イメージングシステムは、皮膚の治療エリア内の血管を画像化し、血管画像に基づいて皮膚の治療エリア内の実質的に血管が形成されていない場所を特定するように構成されている。イメージングシステムは、光干渉断層撮影（ＯＣＴ）システム、多光子イメージングシステム、反射共焦点顕微鏡（ＲＣＭ）システム、蛍光分光システム、カメラ認識及び画像処理システムなどの光学イメージングシステム、又は皮膚の血管を非侵襲的に画像化できる他の光学イメージング技術を含むことができる。一実施形態において、イメージングシステムは、セクションＩで前述したコンポーネント及び物理的特性を有するＯＣＴシステムである。
【００７９】
いくつかの実施形態において、本明細書に記載のデバイスのイメージングシステムは音響イメージングシステムを含む。例えば、一部の例では、イメージングシステムは、当分野で一般に知られているように１つ以上の超音波トランスデューサー及び／又は超音波レシーバーを含む超音波イメージングシステムである。
【００８０】
図１０の実施形態に示しかつセクションＩで前述したように、コンピューター又は制御装置２００は、レーザー２１５及びイメージングシステム２２０に動作可能に接続され、コンピューター又は制御装置２００は、治療エリア内の血管の画像化、及び治療エリア内の後続のレーザーアブレーション位置を自動制御するように構成されている。いくつかの実施形態において、コンピューター又は制御装置２００は、治療エリア内の血管の画像化を行うことなく、治療エリア内のフラクショナルレーザーアブレーション位置を自動制御するように構成されている。コンピューター又は制御装置２００は、プロセッサ２０５と、プロセッサ２０５による実行に応答して、レーザー２１５、イメージングシステム２２０又はそれらの両方に所望のシーケンスで命令を提供させるコンピューター可読プログラムコードを格納する非一時的メモリ２１０とを含むことができる。コンピューター又は制御装置２００は、入力として、治療エリア内の血管のイメージングシステム２２０によって取り込まれた画像データを受信し、実質的に血管が形成されていない領域及び実質的に血管が形成されている領域を示す治療エリアのデジタル化マップを構築するように構成されることができる。一実施形態において、コンピューター又は制御装置２００は、実質的に血管が形成されていない標的位置に対応する所望の座標の１つを中心とする皮膚の治療エリアに対する位置又は場所に移動するようにレーザーに指示する制御信号又はコマンドを（例えば、有線接続又は無線接続を介して）出力するように構成されている。レーザーが所望の位置又は構成になると、制御装置はレーザーに切除レーザービームを生成するよう指示する制御信号又はコマンドを出力することができる。
【００８１】
いくつかの実施形態において、皮膚引き締めシステムは、柱状空隙を覆って皮膚に付けられたときに柱状空隙を閉じた位置に保持することができる接着剤をさらに含む。接着剤は、セクションＩで上述したようなウレタンポリマーベースの接着剤もしくはシアノアクリレートポリマーベースの接着剤、又は本開示の目的に反しない他の接着剤を含むことができる。
【００８２】
一実施形態において、接着剤がスペクトルの赤外領域及び／又は可視領域（又は別の領域）の光に対して透過性である場合、システムはさらに、セクションＩで前述したように、付けられた接着剤を通過して柱状空隙に治療効果をもたらすことができる、光を生成できる光源を含む。照射光は、一部の例では、１つ以上の治療的に有益な効果を提供することができる。例えば、照射するステップは、閉じられた柱状空隙の止血、凝固、又はそれらの両方を引き起こすか又はその一因となることができる。照射光源は、セクションＩで上述した非切除照射光源などの非切除レーザー又は広帯域光（「ＢＢＬ」）源であることができる。いくつかの実施形態において、本明細書で前述したシステムのレーザーは、ハイブリッドレーザーが切除波長での皮膚のフラクショナルレーザーアブレーションと異なる波長での非切除照射の両方を行うことができるように、複数の異なる波長を有するレーザービームを生成するように動作可能なハイブリッドレーザーを含むことができる。
【００８３】
また、いくつかの実施形態において、本明細書に記載のシステムは、カメラをさらに含む。一部の例では、カメラは、直接又は１つ以上のレンズ、ミラー、又は開口部を用いて、画像化された治療エリアから光を受け取るように配置又は構成される。このような光は、イメージングデバイスの戻り信号であることができる。また、いくつかの実施形態において、カメラは、本明細書に記載のシステムの任意の部分に取り付けられることができる。本開示の目的に反しない任意のカメラを使用することができる。例えば、一部の例では、カメラは、治療エリアの二次元又は三次元画像を取り込み、記録し、かつ／又は処理することができるデジタルカメラを含む。また、本明細書に記載のカメラは、可視光カメラ又は赤外線カメラであることができる。他のカメラも使用することができる。カメラは、例えば図１０に示したように、イメージングシステム２２０及びレーザー２１５を制御する制御装置／コンピューター２００に動作可能に接続されることができ、制御装置２００は、治療エリアの画像データを使用して、レーザー２１５によって形成された柱状空隙の位置を監視及び記録し、かつ治療エリアに形成される新たな柱状空隙の位置に関してレーザー２１５を向け、調整し、又は他の方法で制御することができる。
【００８４】
また、いくつかの実施形態において、本明細書に記載のシステムは、例えば図１０に光源２３０として示したように、光源（上記のレーザー又は広帯域光以外の）を含む。一部の例では、本明細書に記載のカメラは、システムによって画像化及び／又は治療される領域又は表面を照明するための光源を含むことができ、又は他の例では、光源は別個のデバイスであることができる。一実施形態において、光源は、制御装置又はコンピューター２００によって動作可能に制御される。本開示の目的に反しない任意の光源を使用することができる。例えば、一部の例では、光源は、レーザーでない発光ダイオード又は発光素子（ＬＥＤ）を含むか、又はレーザーでない発光ダイオード又は発光素子（ＬＥＤ）である。光源は、白熱電球又は蛍光電球であることもできる。他の光源も使用することができる。また、本明細書に記載のイメージングデバイスの光源は、光源が治療エリアを照らすことができれば、本開示の目的に反しないイメージングデバイス又はシステム全体の任意の部分に配置し又は位置付けることができる。
【００８５】
いくつかの実施形態において、皮膚引き締めシステムは、柱状空隙を閉じて柱状空隙の第１側面を柱状空隙の反対側の第２側面に接続することができるフレームをさらに含む。一実施形態において、フレームは、セクションＩで前述したフレーム３００と同じ機械的、物理的、及び動作可能な機構を有する。
【００８６】
システム及び方法の様々な構成要素が上記で説明されてきた。本明細書に記載のシステム又は方法は、本開示の目的に反しない、本明細書に記載の特徴又は構成要素の任意の組み合わせを含むことができることを理解されたい。
【００８７】
本明細書に記載のシステム及び方法は、以下の非限定的な実施例によってさらに説明される。
実施例１
フラクショナルレーザーアブレーションによる柱状空隙の作成
【００８８】
図６Ａに示した皮膚の菱形の柱状空隙は、５０ワットのＥｒ：ＹＡＧレーザーで作成された菱形断面のレーザービームを用いて形成された。柱状空隙の面積は２０ｍｍ3である（全長１０ｍｍ、全幅２ｍｍ、全体の深さ２ｍｍ）。柱状空隙を作成するために、Ｅｒ：ＹＡＧレーザーは、２．５ジュール／ｍｍ3のアブレーションエネルギー密度で１秒間、皮膚を切除した。
実施例２
フラクショナルレーザーアブレーションによる柱状空隙の作成
【００８９】
図６Ｂに示した皮膚の菱形の柱状空隙は、５０ワットのＥｒ：ＹＡＧレーザーで作成された菱形断面のレーザービームを用いて形成された。柱状空隙の面積は２２．５ｍｍ2（全長１５ｍｍ、全幅１．５ｍｍ）で、全体の深さは１ｍｍである。柱状空隙を作成するために、Ｅｒ：ＹＡＧレーザーは、８．３Ｊ／パルスで３０個のパルス、０．４ジュール／ｍｍ3のアブレーションエネルギー密度で皮膚を切除した。より詳細には、約３００個の合計パルス（それぞれ１０個のサブパルスを有する３０個のパルス）が、５〜６秒の合計持続時間で使用される。
実施例３
皮膚を引き締める方法
【００９０】
本明細書に記載の例示的な方法は、以下のように行われる。この実施例の方法は、より具体的には、フラクショナルレーザーアブレーションと、テガダーム（登録商標）又はダーマボンド（登録商標）の接着剤とを使用する。この方法は、レーザー脂肪吸引後の余分な上腕の皮膚を含む治療エリアで行われる。治療エリアは、４００ｃｍ2の総面積を有する（概ね全長２０ｃｍ、全幅２０ｃｍ）。Ｅｒ：ＹＡＧレーザーは、治療エリアでフラクショナルアブレーションを行い、４００個の柱状空隙を形成し、各柱状空隙は約０．１ｃｍ2の面積を有し、４００個の柱状空隙の合計面積は、約４０ｃｍ2又は治療エリアの総面積の１０％である。自動化されたフラクショナルレーザーアブレーションは、約４００秒（約７分）で４００個の柱状空隙を形成する。柱状空隙はテガダーム（登録商標）又はダーマボンド（登録商標）を用いて閉じられ、治癒後の治療エリアは面積が約１０％減少する（１０％収縮）。
実施形態の選択
【００９１】
上記の説明及び添付の特許請求の範囲は、本発明のいくつかの実施形態を開示しているが、本発明の他の態様は、以下のさらなる実施形態で開示される。
【００９２】
実施形態１．皮膚の表面の創傷を閉じる方法であって、
皮膚の表面にフレームを開姿勢で取り付けることであって、フレームは創傷を囲み、創傷は、第１側面と第１側面の向かい側の第２側面とによって画定される周囲を有し、第１側面及び第２側面はそれぞれ、皮膚の表皮層、真皮層、及び皮下層を含むことと、
前記フレームが前記皮膚の表面に取り付けられている間に、前記フレームの形状を前記フレームの開姿勢の開いた形状から前記フレームの閉姿勢の閉じた形状に変えることと
を含み、
フレームの形状を開いた形状から閉じた形状に変えることにより、創傷の第１側面を創傷の第２側面に接続し、
創傷の第１側面の表皮層、真皮層、及び／又は皮下層はそれぞれ、フレームが閉姿勢にあるときに、皮膚の表面に直交するｚ方向において創傷の第２側面の表皮層、真皮層、及び／又は皮下層と位置合わせされる、方法。
【００９３】
実施形態２．創傷の治癒中に皮膚の表面にフレームを閉姿勢で保持することをさらに含む、実施形態１の方法。
【００９４】
実施形態３．創傷の治癒後に皮膚の表面からフレームを取り除くことをさらに含む、実施形態２の方法。
【００９５】
実施形態４．フレームは、金属、プラスチック、又は複合材料から形成されている、実施形態１の方法。
【００９６】
実施形態５．フレームは、開姿勢においてフレームの２つ以上の角を画定する２つ以上のヒンジを含む、実施形態１の方法。
【００９７】
実施形態６．フレームの形状を開いた形状から閉じた形状に変えることは、フレームのヒンジを閉じてフレームの角によって画定される角度を小さくすることを含む、実施形態５の方法。
【００９８】
実施形態７．フレームの開いた形状は、フレームの縁によって画定される開いた内部領域を有する多角形である、実施形態１の方法。
【００９９】
実施形態８．フレームの開いた形状は菱形である、実施形態７の方法。
【０１００】
実施形態９．フレームの閉じた形状は、フレームの縁によって画定される閉じた内部領域を有する概ね弓形又は直線形状である、実施形態７の方法。
【０１０１】
実施形態１０．創傷の第１側面及び第２側面の表皮層、真皮層、及び／又は皮下層の位置合わせは、フレームの形状を開いた形状から閉じた形状に変える際にフレームが実質的にｚ方向に歪むことができないことによってもたらされる、実施形態１の方法。
【０１０２】
実施形態１１．フレームが実質的に歪むことができないことは、フレームの１つ以上のタブによってもたらされる、実施形態１０の方法。
【０１０３】
実施形態１２．フレームが実質的に歪むことができないことは、フレームの形状を開いた形状から閉じた形状に変えるのに使用される外部装置によってもたらされる、実施形態１０の方法。
【０１０４】
実施形態１３．創傷の第１側面及び第２側面の表皮層、真皮層、及び／又は皮下層は、フレームが閉姿勢にあるときに実質的に弛緩又は緊張解除される、実施形態１の方法。
【０１０５】
実施形態１４．創傷の第１側面及び第２側面の表皮層、真皮層、及び皮下層は、フレームが閉姿勢にあるとき、創傷の第１側面及び第２側面を横切って実質的に平面で無張力の真皮表皮接合部と実質的に平面で無張力の真皮皮下接合部とを形成するように位置合わせされる、実施形態１の方法。
【０１０６】
実施形態１５．フレームは、皮膚の表面に接触して接着されているフレームの底面から皮膚の真皮層又は皮下層へと下向きに延びる１つ以上のピン、ステープル、又はアンカーを含む、実施形態１の方法。
【０１０７】
実施形態１６．フレームは接着剤で皮膚の表面に接着される、実施形態１の方法。
【０１０８】
実施形態１７．皮膚の表面の傷を閉じるシステムであって、
皮膚の表面に取り付けられたときに開姿勢での開いた形状と閉姿勢での閉じた形状とを有するように構成されている変形可能なフレームを含み、
開姿勢において、フレームは創傷を囲むように構成され、創傷は、第１側面と第１側面の向かい側の第２側面とによって画定される周囲を有し、第１側面及び第２側面はそれぞれ、皮膚の表皮層、真皮層、及び皮下層を含み、
閉姿勢では、フレームは、創傷の第１側面を創傷の第２側面に接続するように構成され、
創傷の第１側面の表皮層、真皮層、及び／又は皮下層はそれぞれ、フレームが閉姿勢にあるとき、皮膚の表面に直交するｚ方向において創傷の第２側面の表皮層、真皮層、及び／又は皮下層と位置合わせされる、システム。
【０１０９】
実施形態１８．フレームの形状を開いた形状から閉じた形状に変えるように構成されている装置をさらに含む、実施形態１７のシステム。
【０１１０】
実施形態１９．フレームは、金属、プラスチック、又は複合材料から形成されている、実施形態１７のシステム。
【０１１１】
実施形態２０．フレームは、開姿勢においてフレームの２つ以上の角を画定する２つ以上のヒンジを含む、請求項１７に記載のシステム。
【０１１２】
実施形態２１．フレームの開いた形状は、フレームの縁によって画定される開いた内部領域を有する多角形である、請求項１７に記載のシステム。
【０１１３】
実施形態２２．フレームの開いた形状は菱形である、実施形態２１のシステム。
【０１１４】
実施形態２３．フレームの閉じた形状は、フレームの縁によって画定される閉じた内部領域を有する概ね弓形又は直線形状である、実施形態２１のシステム。
【０１１５】
実施形態２４．フレームは、フレームの形状を開いた形状から閉じた形状に変える際に実質的にｚ方向に歪むことができない、実施形態１７のシステム。
【０１１６】
実施形態２５．フレームは１つ以上のタブを含み、タブは、フレームの形状を開いた形状から閉じた形状に変える際にフレームが実質的にｚ方向に歪むのを防ぐ、実施形態２４のシステム。
【０１１７】
実施形態２６．システムは、フレームの形状を開いた形状から閉じた形状に変えるように構成されている装置をさらに含み、装置は、フレームの形状を開いた形状から閉じた形状に変える際にフレームが実質的にｚ方向に歪むのを防ぐように構成されている、実施形態２４のシステム。
【０１１８】
実施形態２７．創傷の第１側面及び第２側面の表皮層、真皮層、及び／又は皮下層は、フレームが閉姿勢にあるときに実質的に弛緩又は緊張解除される、実施形態１７のシステム。
【０１１９】
実施形態２８．創傷の第１側面及び第２側面の表皮層、真皮層、及び皮下層は、フレームが閉姿勢にあるとき、創傷の第１側面及び第２側面を横切って実質的に平面で無張力の真皮表皮接合部と実質的に平面で無張力の真皮皮下接合部とを形成するように位置合わせされる、実施形態１７のシステム。
【０１２０】
実施形態２９．フレームは、皮膚の表面に接触して接着されているフレームの底面から皮膚の真皮層又は皮下層へと下向きに延びる１つ以上のピン、ステープル、又はアンカーを含む、実施形態１７のシステム。
【０１２１】
実施形態３０．フレームは接着剤で皮膚の表面に接着される、実施形態１７のシステム。
【０１２２】
実施形態３１．皮膚を引き締める方法であって、
皮膚の表面にフレームを開姿勢で取り付けることであって、前記フレームは前記皮膚の治療エリアを囲むことと、
治療エリアから１つ以上の皮膚柱を除去し、それにより皮膚に１つ以上の柱状空隙を形成することであって、柱状空隙はそれぞれ、第１側面と第１側面の向かい側の第２側面とによって画定される周囲を有し、第１側面及び第２側面はそれぞれ、皮膚の表皮層、真皮層、及び皮下層を含むことと、
前記フレームが前記皮膚の表面に取り付けられている間に、前記フレームの形状を前記フレームの開姿勢の開いた形状から前記フレームの閉姿勢の閉じた形状に変えることと
を含み、
フレームの形状を開いた形状から閉じた形状に変えることにより、１つ以上の柱状空隙の少なくとも１つの第１側面を当該少なくとも１つの柱状空隙の第２側面に接続し、
前記柱状空隙の第１側面の表皮層、真皮層、及び／又は皮下層はそれぞれ、前記フレームが閉姿勢にあるとき、前記皮膚の表面に直交するｚ方向において前記柱状空隙の第２側面の表皮層、真皮層、及び／又は皮下層と位置合わせされる、方法。
【０１２３】
実施形態３２．柱状空隙の治癒及び閉鎖中に皮膚の表面にフレームを閉姿勢で保持することをさらに含む、実施形態３１の方法。
【０１２４】
実施形態３３．柱状空隙の治癒及び閉鎖後に皮膚の表面からフレームを取り除くことをさらに含む、実施形態３２の方法。
【０１２５】
実施形態３４．フレームは、金属、プラスチック、又は複合材料から形成されている、実施形態３１の方法。
【０１２６】
実施形態３５．フレームは、開姿勢においてフレームの２つ以上の角を画定する２つ以上のヒンジを含む、実施形態３１の方法。
【０１２７】
実施形態３６．フレームの形状を開いた形状から閉じた形状に変えることは、フレームのヒンジを閉じてフレームの角によって画定される角度を小さくすることを含む、実施形態３５の方法。
【０１２８】
実施形態３７．フレームの開いた形状は、フレームの縁によって画定される開いた内部領域を有する多角形である、請求項３１に記載の方法。
【０１２９】
実施形態３８．フレームの開いた形状は菱形である、実施形態３７の方法。
【０１３０】
実施形態３９．フレームの閉じた形状は、フレームの縁によって画定される閉じた内部領域を有する概ね弓形又は直線形状である、実施形態３７の方法。
【０１３１】
実施形態４０．柱状空隙の第１側面及び第２側面の表皮層、真皮層、及び／又は皮下層の位置合わせは、フレームの形状を開いた形状から閉じた形状に変える際にフレームが実質的にｚ方向に歪むことができないことによってもたらされる、実施形態３１の方法。
【０１３２】
実施形態４１．フレームが実質的にｚ方向に歪むことができないことは、フレームの１つ以上のタブによってもたらされる、実施形態４０の方法。
【０１３３】
実施形態４２．フレームが実質的にｚ方向に歪むことができないことは、フレームの形状を開いた形状から閉じた形状に変えるのに使用される外部装置によってもたらされる、実施形態４０の方法。
【０１３４】
実施形態４３．柱状空隙の第１側面及び第２側面の表皮層、真皮層、及び／又は皮下層は、フレームが閉姿勢にあるときに実質的に弛緩又は緊張解除される、実施形態３１の方法。
【０１３５】
実施形態４４．柱状空隙の第１側面及び第２側面の表皮層、真皮層、及び皮下層は、フレームが閉姿勢にあるとき、柱状空隙の第１側面及び第２側面を横切って実質的に平面で無張力の真皮表皮接合部と実質的に平面で無張力の真皮皮下接合部とを形成するように位置合わせされる、実施形態３１の方法。
【０１３６】
実施形態４５．フレームは、皮膚の表面に接触して接着されているフレームの底面から皮膚の真皮層又は皮下層へと下向きに延びる１つ以上のピン、ステープル、又はアンカーを含む、実施形態３１の方法。
【０１３７】
実施形態４６．フレームは接着剤で皮膚の表面に接着される、実施形態４１の方法。
【０１３８】
実施形態４７．治療エリアから１つ以上の皮膚柱を除去することは、レーザーで１つ以上の皮膚柱を切除することを含む、実施形態３１の方法。
【０１３９】
実施形態４８．レーザーはＥｒ：ＹＡＧレーザーである、実施形態４７の方法。
【０１４０】
実施形態４９。治療エリアから１つ以上の皮膚柱を除去することは、コアリング装置で１つ以上の皮膚柱を物理的にコアリングすることを含む、実施形態３１の方法。
【０１４１】
実施形態５０．皮膚柱は皮膚の円柱形の柱である、実施形態３１の方法。
【０１４２】
実施形態５１．皮膚柱は皮膚の多角形の柱である、実施形態３１の方法。
【０１４３】
実施形態５２．皮膚柱は皮膚の菱形の柱である、実施形態３１の方法。
【０１４４】
実施形態５３．皮膚を引き締めるためのシステムであって、
皮膚の表面に取り付けられたときに開姿勢での開いた形状と閉姿勢での閉じた形状とを有するように構成されている変形可能なフレームであって、開姿勢において、皮膚の治療エリアを囲むように構成されているフレームと、
治療エリアから１つ以上の皮膚柱を除去し、それにより皮膚に１つ以上の柱状空隙を形成するように構成されているレーザーであって、柱状空隙はそれぞれ、第１側面と第１側面の向かい側の第２側面とによって画定される周囲を有し、第１側面及び第２側面はそれぞれ、皮膚の表皮層、真皮層、及び皮下層を含むレーザーと
を含み、
閉姿勢において、フレームは、少なくとも１つの柱状空隙の第１側面を当該少なくとも１つの柱状空隙の第２側面に接続するように構成され、
柱状空隙の第１側面の表皮層、真皮層、及び／又は皮下層はそれぞれ、フレームが閉姿勢にあるとき、皮膚の表面に直交するｚ方向において柱状空隙の第２側面の表皮層、真皮層、及び／又は皮下層と位置合わせされる、システム。
【０１４５】
実施形態５４．フレームの形状を開いた形状から閉じた形状に変えるように構成されている装置をさらに含む、実施形態５３のシステム。
【０１４６】
実施形態５５．フレームは、金属、プラスチック、又は複合材料から形成されている、実施形態５３のシステム。
【０１４７】
実施形態５６．フレームは、開姿勢においてフレームの２つ以上の角を画定する２つ以上のヒンジを含む、実施形態５３のシステム。
【０１４８】
実施形態５７．フレームの開いた形状は、フレームの縁によって画定される開いた内部領域を有する多角形である、実施形態５３のシステム。
【０１４９】
実施形態５８．フレームの開いた形状は菱形である、実施形態５７のシステム。
【０１５０】
実施形態５９．フレームの閉じた形状は、フレームの縁によって画定される閉じた内部領域を有する概ね弓形又は直線形状である、実施形態５７のシステム。
【０１５１】
実施形態６０．フレームは、フレームの形状を開いた形状から閉じた形状に変える際に実質的にｚ方向に歪むことができない、実施形態５３のシステム。
【０１５２】
実施形態６１．フレームは１つ以上のタブを含み、タブは、フレームの形状を開いた形状から閉じた形状に変える際にフレームが実質的にｚ方向に歪むのを防ぐ、実施形態６０のシステム。
【０１５３】
実施形態６２．システムは、フレームの形状を開いた形状から閉じた形状に変えるように構成されている装置をさらに含み、装置は、フレームの形状を開いた形状から閉じた形状に変える際にフレームが実質的にｚ方向に歪むのを防ぐように構成されている、実施形態６０のシステム。
【０１５４】
実施形態６３．柱状空隙の第１側面及び第２側面の表皮層、真皮層、及び／又は皮下層は、フレームが閉姿勢にあるときに実質的に弛緩又は緊張解除される、実施形態５３のシステム。
【０１５５】
実施形態６４．柱状空隙の第１側面及び第２側面の表皮層、真皮層、及び皮下層は、フレームが閉姿勢にあるとき、柱状空隙の第１側面及び第２側面を横切って実質的に平面で無張力の真皮表皮接合部と実質的に平面で無張力の真皮皮下接合部とを形成するように位置合わせされる、実施形態５３のシステム。
【０１５６】
実施形態６５．フレームは、皮膚の表面に接触して接着されているフレームの底面から皮膚の真皮層又は皮下層へと下向きに延びる１つ以上のピン、ステープル、又はアンカーを含む、実施形態５３のシステム。
【０１５７】
実施形態６６．フレームは接着剤で皮膚の表面に接着される、実施形態５３のシステム。
【０１５８】
実施形態６７．レーザーはＥｒ：ＹＡＧレーザーである、実施形態５３のシステム。
【０１５９】
実施形態６８．皮膚から瘢痕を除去する方法であって、
皮膚の表面にフレームを開姿勢で取り付けることであって、フレームは瘢痕の少なくとも一部を囲むことと、
瘢痕を形成する皮膚組織を除去し、それにより皮膚に創傷を形成することであって、創傷は、第１側面と第１側面の向かい側の第２側面とによって画定される周囲を有し、第１側面及び第２側面はそれぞれ、皮膚の表皮層、真皮層、及び皮下層を含むことと、
前記フレームが前記皮膚の表面に取り付けられている間に、前記フレームの形状を前記フレームの開姿勢の開いた形状から前記フレームの閉姿勢の閉じた形状に変えることと
を含み、
フレームの形状を開いた形状から閉じた形状に変えることにより、創傷の第１側面を創傷の第２側面に接続し、
創傷の第１側面の表皮層、真皮層、及び／又は皮下層はそれぞれ、フレームが閉姿勢にあるときに、皮膚の表面に直交するｚ方向において創傷の第２側面の表皮層、真皮層、及び／又は皮下層と位置合わせされる、方法。
【０１６０】
実施形態６９．創傷の治癒及び閉鎖中に皮膚の表面にフレームを閉姿勢で保持することをさらに含む、実施形態６８の方法。
【０１６１】
実施形態７０．創傷の治癒及び閉鎖後に皮膚の表面からフレームを取り除くことをさらに含む、実施形態６９の方法。
【０１６２】
実施形態７１．フレームは、金属、プラスチック、又は複合材料から形成されている、実施形態６８の方法。
【０１６３】
実施形態７２．フレームは、開姿勢においてフレームの２つ以上の角を画定する２つ以上のヒンジを含む、実施形態６８の方法。
【０１６４】
実施形態７３．フレームの形状を開いた形状から閉じた形状に変えることは、フレームのヒンジを閉じてフレームの角によって画定される角度を小さくすることを含む、実施形態７２の方法。
【０１６５】
実施形態７４．フレームの開いた形状は、フレームの縁によって画定される開いた内部領域を有する多角形である、実施形態６８の方法。
【０１６６】
実施形態７５．フレームの開いた形状は菱形である、実施形態７４の方法。
【０１６７】
実施形態７６．フレームの閉じた形状は、フレームの縁によって画定される閉じた内部領域を有する概ね弓形又は直線形状である、実施形態７４の方法。
【０１６８】
実施形態７７．創傷の第１側面及び第２側面の表皮層、真皮層、及び／又は皮下層の位置合わせは、フレームの形状を開いた形状から閉じた形状に変える際にフレームが実質的にｚ方向に歪むことができないことによってもたらされる、実施形態６８の方法。
【０１６９】
実施形態７８．フレームが実質的にｚ方向に歪むことができないことは、フレームの１つ以上のタブによってもたらされる、実施形態７７の方法。
【０１７０】
実施形態７９．フレームが実質的にｚ方向に歪むことができないことは、フレームの形状を開いた形状から閉じた形状に変えるのに使用される外部装置によってもたらされる、実施形態７７の方法。
【０１７１】
実施形態８０．創傷の第１側面及び第２側面の表皮層、真皮層、及び／又は皮下層は、フレームが閉姿勢にあるときに実質的に弛緩又は緊張解除される、実施形態６８の方法。
【０１７２】
実施形態８１．創傷の第１側面及び第２側面の表皮層、真皮層、及び皮下層は、フレームが閉姿勢にあるとき、創傷の第１側面及び第２側面を横切って実質的に平面で無張力の真皮表皮接合部と実質的に平面で無張力の真皮皮下接合部とを形成するように位置合わせされる、実施形態６８の方法。
【０１７３】
実施形態８２．フレームは、皮膚の表面に接触して接着されているフレームの底面から皮膚の真皮層又は皮下層へと下向きに延びる１つ以上のピン、ステープル、又はアンカーを含む、実施形態６８の方法。
【０１７４】
実施形態８３．フレームは接着剤で皮膚の表面に接着される、実施形態６８の方法。
【０１７５】
実施形態８４．瘢痕を形成する皮膚組織を切除することがレーザーで行われる、実施形態６８の方法。
【０１７６】
実施形態８５．レーザーはＥｒ：ＹＡＧレーザーである、実施形態８４の方法。
【０１７７】
実施形態８６．瘢痕を形成する皮膚組織をレーザーで切除するステップは自動化されたステップである、実施形態８４の方法。
【０１７８】
実施形態８７．自動化された切除ステップは、コンピューター制御装置と、瘢痕及び／又は瘢痕の少なくとも一部を囲むフレームを画像化するように構成されているイメージングシステムと用いて行われる、実施形態８６の方法。
【０１７９】
実施形態８８．傷跡を除去するためのシステムであって、
皮膚の表面に取り付けられたときに開姿勢での開いた形状と閉姿勢での閉じた形状とを有するように構成されている変形可能なフレームであって、開姿勢において、瘢痕の少なくとも一部を囲むように構成されているフレームと、
瘢痕を形成する皮膚組織を除去し、それにより皮膚に創傷を形成するように構成されているレーザーであって、創傷は、第１側面と第１側面の向かい側の第２側面とによって画定される周囲を有し、第１側面及び第２側面はそれぞれ、皮膚の表皮層、真皮層、及び皮下層を含むレーザーと
を含み、
閉姿勢では、フレームは、創傷の第１側面を創傷の第２側面に接続するように構成され、
創傷の第１側面の表皮層、真皮層、及び／又は皮下層はそれぞれ、フレームが閉姿勢にあるとき、皮膚の表面に直交するｚ方向において創傷の第２側面の表皮層、真皮層、及び／又は皮下層と位置合わせされる、システム。
【０１８０】
実施形態８９．フレームの形状を開いた形状から閉じた形状に変えるように構成されている装置をさらに含む、実施形態８８のシステム。
【０１８１】
実施形態９０．フレームは、金属、プラスチック、又は複合材料から形成されている、実施形態８８のシステム。
【０１８２】
実施形態９１．フレームは、開姿勢においてフレームの２つ以上の角を画定する２つ以上のヒンジを含む、実施形態８８のシステム。
【０１８３】
実施形態９２．フレームの開いた形状は、フレームの縁によって画定される開いた内部領域を有する多角形である、実施形態８８のシステム。
【０１８４】
実施形態９３．フレームの開いた形状は菱形である、実施形態８８のシステム。
【０１８５】
実施形態９４．フレームの閉じた形状は、フレームの縁によって画定される閉じた内部領域を有する概ね弓形又は直線形状である、実施形態８８のシステム。
【０１８６】
実施形態９５．フレームは、フレームの形状を開いた形状から閉じた形状に変える際に実質的にｚ方向に歪むことができない、実施形態８８のシステム。
【０１８７】
実施形態９６．フレームは１つ以上のタブを含み、タブは、フレームの形状を開いた形状から閉じた形状に変える際にフレームが実質的にｚ方向に歪むのを防ぐ、実施形態９５のシステム。
【０１８８】
実施形態９７．システムは、フレームの形状を開いた形状から閉じた形状に変えるように構成されている装置をさらに含み、装置は、フレームの形状を開いた形状から閉じた形状に変える際にフレームが実質的にｚ方向に歪むのを防ぐように構成されている、実施形態９５のシステム。
【０１８９】
実施形態９８．創傷の第１側面及び第２側面の表皮層、真皮層、及び／又は皮下層は、フレームが閉姿勢にあるときに実質的に弛緩又は緊張解除される、実施形態８８のシステム。
【０１９０】
実施形態９９．創傷の第１側面及び第２側面の表皮層、真皮層、及び皮下層は、フレームが閉姿勢にあるとき、柱状空隙の第１側面及び第２側面を横切って実質的に平面で無張力の真皮表皮接合部と実質的に平面で無張力の真皮皮下接合部とを形成するように位置合わせされる、実施形態８８のシステム。
【０１９１】
実施形態１００．フレームは、皮膚の表面に接触して接着されているフレームの底面から皮膚の真皮層又は皮下層へと下向きに延びる１つ以上のピン、ステープル、又はアンカーを含む、実施形態８８のシステム。
【０１９２】
実施形態１０１．レーザーはＥｒ：ＹＡＧレーザーである、実施形態８８のシステム。
【０１９３】
実施形態１０２．皮膚を引き締めるための方法であって、皮膚の表面の治療エリアから１つ以上の皮膚柱を切除することを含み、１つ以上の皮膚柱は、多角形断面を有するレーザービームで切除される、方法。
【０１９４】
実施形態１０３．レーザービームは菱形断面を有する、実施形態１０２の方法。
【０１９５】
実施形態１０４．１つ以上の皮膚柱を切除することにより、皮膚に１つ以上の柱状空隙を形成し、柱状空隙はそれぞれ、第１側面と第１側面の向かい側の第２側面とによって画定される周囲を有し、第１側面及び第２側面はそれぞれ、皮膚の表皮層、真皮層、及び皮下層を含む、実施形態１０２の方法。
【０１９６】
実施形態１０５．１つ以上の柱状空隙の治癒中に１つ以上の柱状空隙に圧縮力を加えることをさらに含む、実施形態１０４の方法。
【０１９７】
実施形態１０６．圧縮力は、フレーム、皮膚接着材料、縫合、ステープル、又は方向性包帯を用いて加えられる、実施形態１０５の方法。
【０１９８】
実施形態１０７．切除ステップはＥｒ：ＹＡＧレーザーを用いて行われる、実施形態１０２の方法。
【０１９９】
実施形態１０８．皮膚を引き締めるためのシステムであって、皮膚の表面の治療エリアから１つ以上の皮膚柱を切除し、それにより皮膚に１つ以上の柱状空隙を形成するように構成されているレーザーを含み、柱状空隙はそれぞれ、第１側面と第１側面の向かい側の第２側面とによって画定される周囲を有し、第１側面及び第２側面はそれぞれ、皮膚の表皮層、真皮層、及び皮下層を含み、レーザーは多角形断面を有するレーザービームを生成する、システム。
【０２００】
実施形態１０９．レーザービームは菱形断面を有する、実施形態１０８のシステム。
【０２０１】
実施形態１１０．１つ以上の柱状空隙の治癒中に１つ以上の柱状空隙に圧縮力を加えるための手段をさらに含む、実施形態１０８のシステム。
【０２０２】
実施形態１１１．前記手段は、フレーム、皮膚接着材料、縫合、ステープル、又は方向性包帯を含む、実施形態１１０のシステム。
【０２０３】
実施形態１１２．レーザーはＥｒ：ＹＡＧレーザーである、実施形態１０８のシステム。
【０２０４】
本発明の様々な実施形態を、本発明の様々な目的を達成するために説明してきた。これらの実施形態は、発明の原理の単なる例示であることを認識されたい。本発明の主旨及び範囲から逸脱することなく、実施形態の多数の修正及び適合が当業者には容易に明らかであろう。
【図１】
2020520707.tif 000002
【図２】
2020520707.tif 000003
【図３】
2020520707.tif 000004
【図４】
2020520707.tif 000005
【図５Ａ】
2020520707.tif 000006
【図５Ｂ】
2020520707.tif 000007
【図６Ａ−６Ｂ】
2020520707.tif 000008
【図７】
2020520707.tif 000009
【図８】
2020520707.tif 000010
【図９Ａ】
2020520707.tif 000011
【図９Ｂ】
2020520707.tif 000012
【図１０】
2020520707.tif 000013
【図１１】
2020520707.tif 000014
【図１２】
2020520707.tif 000015
【図１３Ａ】
2020520707.tif 000016
【図１３Ｂ】
2020520707.tif 000017
【図１３Ｃ】
2020520707.tif 000018
【図１４】
2020520707.tif 000019
【図１５】
2020520707.tif 000020
【図１６】
2020520707.tif 000021
【図１７】
2020520707.tif 000022
【図１８】
2020520707.tif 000023
【図１９Ａ】
2020520707.tif 000024
【図１９Ｂ】
2020520707.tif 000025
【図２０】
2020520707.tif 000026
【図２１】
2020520707.tif 000027
【図２２】
2020520707.tif 000028
【図２３】
2020520707.tif 000029
【国際調査報告】
2020520707.tif 000030